(57)【要約】  吸収性物品（２０）は、中央ゾーン（２２）と、吸収性物品（２０）の横断方向に実質的に延在する第１及び第２の周辺ゾーン（６３、６５）とを各々備える、前側ベルト（６０）及び後側ベルト（４０）を有する。少なくとも第１のベルトは、低運動ゾーンの外側で着用者の運動に容易に適合することが可能でありながら、着用者の低運動ゾーンに改善されたフィット性を提供する。
2020519358.tif 000002
【特許請求の範囲】
【請求項１】
長手方向寸法及び横断方向寸法を備える吸収性物品（２０）であって、
前記吸収性物品（２０）が、前側腰部縁部（３１）を有する前側腰部領域（３６）と、後側腰部縁部（３２）を有する後側腰部領域（３８）と、を有し、前記吸収性物品（２０）が、前記前側及び後側腰部領域（３６、３８）間に延在する股部領域（３７）を更に含み、
前記吸収性物品（２０）が、中央シャーシ（２２）と、前側ベルト（６０）と、後側ベルト（４０）と、を備え、
前記中央シャーシ（２２）が、第１の横断方向シャーシ端縁部（１４）と、第２の横断方向シャーシ端縁部（１５）と、第１の長手方向シャーシ側縁部（１５）及び第２の長手方向シャーシ側縁部（１６）と、液体透過性トップシート（２４）と、液体不透過性バックシート（２６）と、前記トップシートと前記バックシートとの間に配設された吸収性コアと、を備え、
前記前側ベルト（６０）が、前記前側ベルト（６０）の内面に配設された第１の前側ベルト層（６１）と、前記前側ベルト（６０）の外面に配設された第２の前側ベルト層（６２）と、前記第１及び第２の前側ベルト層（６１、６２）間に配設された、横断方向に沿って実質的に延在する弾性スタンド（２００）と、を備え、
前記前側ベルト（６０）の前記弾性ストランド（２００）が、第１の複数の弾性スタンド（６６）であって、前記第１の複数の弾性ストランドの横断方向に対向する端部に又は当該端部に隣接して、前記第１及び第２の前側ベルト層（６１、６２）のうちの一方又は両方に取り付けられている、第１の複数の弾性スタンド（６６）を備え、
前記前側ベルト（６０）の前記弾性ストランド（２００）が、前記弾性ストランドの実質的な全長に沿って、前記第１及び第２の前側ベルト層（６１、６２）のうちの一方又は両方に取り付けられている第２の複数の弾性ストランド（６８）を更に備え、
前記後側ベルト（４０）が、前記後側ベルト（４０）の内面に配設された第１の後側ベルト層（４１）と、前記後側ベルト（４０）の外面に配設された第２の後側ベルト層（４２）と、前記第１及び第２の後側ベルト層（４１、４２）間に配設された、横断方向に沿って実質的に延在する弾性スタンド（２００）と、を備え、
前記後側ベルト（４０）の前記弾性ストランド（２００）が、第３の複数の弾性スタンド（４６）であって、前記第３の複数の弾性ストランド（４６）の横断方向に対向する端部に又は当該端部に隣接して、前記第１及び第２の後側ベルト層（４１、４２）のうちの一方又は両方に取り付けられている、第３の複数の弾性スタンド（４６）を備え、
前記後側ベルト（４０）の前記弾性ストランド（２００）が、前記弾性ストランドの実質的な全長に沿って、前記第１及び第２の後側ベルト層（４１、４２）のうちの一方又は両方に取り付けられている第４の複数の弾性ストランド（４８）を更に備える、吸収性物品（２０）。
【請求項２】
前記前側ベルト（６０）が、第１及び第２の長手方向前側ベルト側縁部（８６、８７）を備え、前記後側ベルト（４０）が、第１及び第２の長手方向後側ベルト側縁部（５５、５６）を備え、前記吸収性物品（２０）が、前記前側及び後側腰部縁部（３２、３１）によって共同で形成された腰部開口部と、一対の脚部開口部と、を備えるように、前記第１の長手方向前側ベルト側縁部（８６）が前記第１の長手方向後側ベルト側縁部（５５）に接合されて第１サイドシーム（５７）を形成し、前記第２の長手方向前側ベルト側縁部（８７）が前記第２の長手方向後側ベルト側縁部（５６）に接合されて第２サイドシーム（５８）を形成する、請求項１に記載の吸収性物品。
【請求項３】
前記前側ベルト（６０）が、中央前側ベルトゾーン（６４）と、前記中央前側ベルトゾーン（６４）から前記前側腰部縁部（３１）に向かって長手方向遠位にある第１の周辺前側ベルトゾーン（６３）と、前記中央前側ベルトゾーン（６４）から前記脚部開口部に向かって長手方向近位にある第２の周辺前側ベルトゾーン（６４）と、を有し、前記中央前側ベルトゾーン（６４）が、第１の横断方向ピーク伸長力を有し、前記第１の周辺前側ベルトゾーン（６３）が、第２の横断方向ピーク伸長力を有し、前記第２の周辺前側ベルトゾーン（６５）が、第３の横断方向ピーク伸長力を有し、前記第１の横断方向ピーク伸長力が、前記第２及び第３の横断方向ピーク伸長力のうちの一方又は両方よりも大きく、
前記後側ベルト（４０）が、中央後側ベルトゾーン（４４）と、前記中央後側ベルトゾーン（４４）から前記後側腰部縁部（３２）に向かって長手方向遠位にある第１の周辺後側ベルトゾーン（４３）と、前記中央後側ベルトゾーン（４４）から前記脚部開口部に向かって長手方向近位にある第２の周辺後側ベルトゾーン（４５）と、を有し、前記中央後側ベルトゾーン（４４）が、第４の横断方向ピーク伸長力を有し、前記第１の周辺後側ベルトゾーン（４３）が、第５の横断方向ピーク伸長力を有し、前記第２の周辺後側ベルトゾーン（４５）が、第６の横断方向ピーク伸長力を有し、前記第４の横断方向ピーク伸長力が、前記第５及び第６の横断方向ピーク伸長力のうちの一方又は両方よりも大きく、
前記中央前側ベルトゾーン（６４）が、前記前側腰部縁部（３１）から長手方向にオフセットして第２の距離（Ｌ２）に設けられ、前記中央後側ベルトゾーン（４４）が、前記後側腰部縁部（３２）から長手方向にオフセットして第１の距離（Ｌ１）に設けられ、前記第２の距離（Ｌ２）が、前記第１の距離（Ｌ１）よりも大きい、請求項１又は２に記載の吸収性物品。
【請求項４】
前記第１の横断方向ピーク伸長力が、前記第２及び第３の横断方向ピーク伸長力のうちの一方又は両方よりも少なくとも２５％大きく、前記第４の横断方向ピーク伸長力が、前記第５及び第６の横断方向ピーク伸長力のうちの一方又は両方よりも少なくとも２５％大きい、請求項３に記載の吸収性物品（２０）。
【請求項５】
前記中央シャーシ（２２）の前記吸収性コアと重なり合う、前記第１及び第２の前側ベルトセグメント（８４、８５）間の前記前側ベルト（６０）の領域が、弾性ストランドを含まないように、前記第２の周辺前側ベルトゾーン（６５）の前記弾性ストランド、及び前記中央前側ベルトゾーン（６４）の前記弾性ストランドのうちの一部又は全てが、断絶されて、前記第１の長手方向前側ベルト側縁部（８６）に向かう領域に配設された第１の前側ベルトセグメント（８４）と、前記第２の長手方向前側ベルト側縁部（８７）に向かう領域に配設された第２の前側ベルトセグメント（８５）と、を有する、不連続な弾性ストランドを形成し、
前記中央シャーシ（２２）の前記吸収性コアと重なり合う、前記第１及び第２の後側ベルトセグメント（７９、８０）間の前記後側ベルト（４０）の領域が、弾性ストランドを含まないように、少なくとも前記第２の周辺後側ベルトゾーン（４５）の弾性ストランドが、断絶されて、前記第１の長手方向後側ベルト側縁部（５５）に向かう領域に配設された第１の後側ベルトセグメント（７９）と、前記第２の長手方向後側ベルト側縁部（５６）に向かう領域に配設された第２の後側ベルトセグメント（８０）と、を有する、不連続な弾性ストランドを形成する、請求項３又は４に記載の吸収性物品（２０）。
【請求項６】
前記第１の周辺前側ベルトゾーン（６３）の前記弾性ストランドのうちの一部又は全てが、前記前側ベルト（６０）の全横断方向寸法にわたり、前記第１の長手方向前側ベルト側縁部（８６）から前記第２の長手方向前側ベルト側縁部（８７）まで延在しており、
前記第１の周辺後側ベルトゾーン（４３）の前記弾性ストランドのうちの一部又は全てが、前記後側ベルト（４０）の全横断方向寸法にわたり、前記第１の長手方向後側ベルト側縁部（５５）から前記第２の長手方向後側ベルト側縁部（５６）まで延在している、請求項３〜５のいずれか一項に記載の吸収性物品（２０）。
【請求項７】
前記前側ベルト（６０）内で実質的に全横断方向寸法にわたって延在する断絶されていない弾性ストランドの数が、断絶されている前記前側ベルト（６０）の弾性ストランドの数よりも小さい、請求項５又は６に記載の吸収性物品（２０）。
【請求項８】
前記後側ベルト（４０）内で実質的に全横断方向寸法にわたって延在する断絶されていない弾性ストランドの数が、断絶された弾性ストランドの数よりも大きい、請求項５〜７のいずれか一項に記載の吸収性物品（２０）。
【請求項９】
前記バックシートが、不織布外側カバー層及びフィルム内側層を備え、前記第４の弾性体（４８）のうちの少なくとも一部が、前記バックシートの前記フィルム内側層と重なり合っている、請求項５〜８のいずれか一項に記載の吸収性物品（２０）。
【請求項１０】
前記第１の横断方向シャーシ端縁部（１４）が、前記吸収性物品（２０）の前記後側腰部縁部（３２）から長手方向にオフセットし、かつ／又は前記第２の横断方向シャーシ端縁部（１５）が、前記吸収性物品（２０）の前記前側腰部縁部（３１）から長手方向にオフセットしている、請求項１〜９のいずれか一項に記載の吸収性物品（２０）。
【請求項１１】
前記前側ベルト（５０）において、前記第１の前側ベルト層（６１）及び前記第２の前側ベルト層（６２）が、前記第１の複数の弾性ストランド（６６）の隣り合う弾性ストランドの対の間で互いに接着接合されており、前記後側ベルト（４０）において、前記第１の後側ベルト層（４１）及び前記第２の後側ベルト層（４２）が、前記第３の複数の弾性ストランド（４６）の隣り合う弾性ストランドの対の間で互いに接着接合されている、請求項１〜１０のいずれか一項に記載の吸収性物品（２０）。
【請求項１２】
前記前側ベルト（６０）及び／又は前記後方ベルト（４０）の前記弾性ストランドのうちの一部が、１つ以上の高密度アレイ（９５）として１つ以上の組で配置され、各高密度アレイ（９５）が、２〜４つの弾性ストランドからなり、前記高密度アレイ（９５）の前記弾性ストランドが、２〜４ｍｍの間隙（９０）によって互いに長手方向に離間されており、前記高密度アレイ（９５）の外側の前記前側ベルト及び／又は後方ベルトの前記弾性ストランドが、５〜１０ｍｍの間隙（９０）によって、前記高密度アレイ（９５）から、及び互いから長手方向に離間されている、請求項１〜１１のいずれか一項に記載の吸収性物品（２０）。
【請求項１３】
前記第２の複数の弾性ストランド（６８）の前記弾性ストランドが、接着剤によって、前記弾性ストランドの全長に実質的に沿って前記第１及び第２の前側ベルト層（６１、６２）のうちの一方又は両方に連続的に取り付けられており、前記第４の複数の弾性ストランド（４８）の前記弾性ストランドが、接着剤によって、前記弾性ストランドの全長に実質的に沿って前記第１及び第２の後側ベルト層（４１、４２）のうちの一方又は両方に連続的に取り付けられている、請求項１〜１２のいずれか一項に記載の吸収性物品（２０）。
【請求項１４】
前記第２の複数の弾性ストランド（６８）の前記弾性ストランドが、前記弾性ストランドのひずみ、隣り合う弾性ストランド間の距離、前記複数の弾性ストランドを形成する弾性ストランドの数前記弾性ストランドのデニール、からなる群から選択される１つ以上の特性において、前記第１の複数の弾性ストランド（６６）の前記弾性ストランドとは異なる、請求項１〜１３のいずれか一項に記載の吸収性物品（２０）。
【請求項１５】
前記第３の複数の弾性ストランド（４６）の前記弾性ストランドが、前記弾性ストランドのひずみ、隣り合う弾性ストランド間の距離、前記複数の弾性ストランドを形成する弾性ストランドの数、及び前記弾性ストランドのデニール、からなる群から選択される１つ以上の特性において、前記第４の複数の弾性ストランド（４８）の前記弾性ストランドとは異なる、請求項１〜１４のいずれか一項に記載の吸収性物品。
【請求項１６】
前記第１の複数の弾性ストランド（６６）の前記弾性ストランドが、前記第２の複数の弾性ストランド（６８）の前記弾性ストランドよりも低い伸長力を有し、前記第３の複数の弾性ストランド（４６）の前記弾性ストランドが、前記第４の複数の弾性ストランド（４８）の前記弾性ストランドよりも低い伸長力を有する、請求項１〜１５のいずれか一項に記載の吸収性物品（２０）。
【請求項１７】
前記吸収性物品を、前記前側及び後側ベルト（６０、４０）が互いに重なり合い、前記前側及び後側腰部縁部（３１、３２）が一致するように寝かせると、前記中央前側ベルトゾーン（６４）及び前記中央後側ベルトゾーン（４４）が、部分的にのみ重なり合う、請求項１〜１６のいずれか一項に記載の吸収性物品（２０）。
【発明の詳細な説明】
【技術分野】
【０００１】
本発明は、着用者の周囲に持続的に動的フィット性を提供する吸収性物品に関する。吸収性物品は、前側及び後側ベルトを備える。前側及び後側ベルトは、各々横断方向に沿って延在し、第１及び第２のベルト層間に配設された弾性ストランドを備える。前側及び後側ベルトは各々、中央ベルトゾーンと、並びに第１及び第２の周辺ベルトゾーンと、を有する。
【背景技術】
【０００２】
乳幼児、及び他の失禁症の個人は、尿及び他の身体排出物を吸収及び収容する吸収性物品を着用する。吸収性物品は、排泄された物質を収容することと、これらの物質を着用者の身体から、並びに着用者の衣類及び寝具から隔離することの双方の機能を果たす。
【０００３】
しかしながら、吸収性物品は、使用中に着用者の身体から垂れ下がりや間隙ができ、横滑りする／滑り落ちる傾向を有する。この垂れ下がり／間隙ができること及び横滑り／滑りは、着用者が呼吸し、動作し、位置を変えるときの相対運動によって、吸収性物品に身体排出物で負荷がかかると生じる下向きの力によって、並びにそのような着用者の運動に供されたときの吸収性物品自体の材料の変形によって引き起こされる。吸収性物品のこの垂れ下がり／間隙ができること及び横滑り／滑りは、着用者の周囲の吸収性物品の早期漏れ及び不十分なフィット性をもたらし得る。
【０００４】
従来の吸収性物品は、典型的には、使用中に動的運動（及びしたがって動的な力）に供される着用者のゾーンに物品がフィットするように、着用者の腹部の高い位置及び大腿部下方にフィットするように設計されている。特に腹部の膨張及び収縮によるこれらの動的運動及び力は、物品を構成する材料を変形させる傾向があり、物品を身体から離れるように押す傾向がある。したがって、物品は、身体から離れて垂れ下がり／間隙ができる傾向がある。従来技術の物品の固定システムはまた、典型的には、着用者の周囲に画定された寸法の腰部及び脚部開口部、並びに水平な張力線（線に沿って引張力を付与する）を形成して、着用者のおむつを固定するように設計されている。しかしながら、従来技術の物品によって作り出される水平な張力線は、着用者の動作によって引き起こされる身体寸法の変化に適応することができず、そのため、着用者の腹部の寸法が変化すると、おむつが着用者上で横滑りする／滑り落ちる傾向がある。先行技術の物品は、より小さい寸法の区域でベルトの下に設定されている腹部から横滑り／滑り落ちることにより、腰部及び脚部での間隙ができることをもたらす。更に、そのような動的な力を受ける腹部又は脚部のゾーン内に配設された先行技術の物品の吸収性コア及び他の硬い非弾性要素は、動的な力によって下方又は内側に押され、結果として着用者において製品の更なる間隙ができること／横滑りをもたらす。
【０００５】
吸収性物品は、通常、テープ型及びパンツ型物品、並びにインサートで入手可能である。一般的に、テープ型物品は、予め閉じられずに包装されているのに対し、パンツ型物品は、予め閉じられている。パンツ型物品は、多くの場合にトイレトレーニングに使用されるが、必ずしもそうとは限らない。概して、パンツは、物品を着用者に固定するために、脚部開口部の真上及び腰部により高い力を有する傾向がある。しかしながら、これらの区域は、着用者が動作するにつれて着用者の解剖学的構造が多く動作するゾーンである。したがって、これらの「高運動ゾーン」における比較的高い力は、皮膚が赤くなること及び動作の自由度の制限をもたらす傾向がある。
【発明の概要】
【発明が解決しようとする課題】
【０００６】
したがって、より良好なフィット性、漏れの低減、及び着用者の快適性を提供する吸収性物品を提供することが有利であろう。更に、使用中に垂れ下がり及び間隙ができることを低減し、並びに着用者上の吸収性物品の全体的な横滑り／滑りを低減した吸収性物品を提供することが更に有利であろう。
【課題を解決するための手段】
【０００７】
本発明は、長手方向及び横断方向寸法を備える吸収性物品に関する。
【０００８】
吸収性物品は、前側腰部縁部を有する前側腰部領域と、後側腰部縁部を有する後側腰部領域とを有する。股部領域は、前側及び後側腰部領域間に延在する。
【０００９】
吸収性物品は、中央シャーシと、前側ベルトと、後側ベルトと、を備える。
【００１０】
中央シャーシは、第１の横断方向シャーシ端縁部と、第２の横断方向シャーシ端縁部と、第１の長手方向シャーシ側縁部及び第２の長手方向シャーシ側縁部と、液体透過性トップシートと、液体不透過性バックシートと、トップシートとバックシートとの間に配設された吸収性コアと、を備える。
【００１１】
前側ベルトは、前側ベルトの内面に配設された第１の前側ベルト層と、前側ベルトの外面に配設された第２の前側ベルト層と、第１及び第２の前側ベルト層間に配設された、実質的に横断方向に沿って延在する弾性スタンドと、を備える。
【００１２】
前側ベルトの弾性ストランドは、第１の複数の弾性ストランドの横断方向に対向する端部に又は当該端部に隣接して、第１及び第２の前側ベルト層のうちの一方又は両方に取り付けられている第１の複数の弾性スタンドを備える。
【００１３】
前側ベルトの弾性ストランドは、弾性ストランドの実質的な全長に沿って、第１及び第２の前側ベルト層のうちの一方又は両方に取り付けられている、第２の複数の弾性ストランドを更に備える。
【００１４】
後側ベルトは、後側ベルトの内面に配設された第１の後側ベルト層と、後側ベルトの外面に配設された第２の後側ベルト層と、第１及び第２の後側ベルト層間に配設された、実質的に横断方向に沿って延在する弾性スタンドと、を備える。
【００１５】
後側ベルトの弾性ストランドは、第３の複数の弾性ストランドの横断方向に対向する端部に又は当該端部に隣接して、第１及び第２の後側ベルト層のうちの一方又は両方に取り付けられている第３の複数の弾性スタンドを備える。
【００１６】
後側ベルトの弾性ストランドは、弾性ストランドの実質的な全長に沿って、第１及び第２の後側ベルト層のうちの一方又は両方に取り付けられている第４の複数の弾性ストランドを更に備える。
【００１７】
前側ベルトは、中央前側ベルトゾーンと、中央前側ベルトゾーンから前側腰部縁部に向かって長手方向遠位にある第１の周辺前側ベルトゾーンと、中央前側ベルトゾーンから脚部開口部に向かって長手方向近位にある第２の周辺前側ベルトゾーンと、を有してもよい。中央ゾーンは、第１の横断方向ピーク伸長力を有してもよく、第１の周辺前側ベルトゾーンは、第２の横断方向ピーク伸長力を有してもよく、第２の周辺前側ベルトゾーンは、第３の横断方向ピーク伸長力を有してもよい。第１の横断方向ピーク伸長力は、第２及び第３の横断方向ピーク伸長力のうちの一方又は両方よりも大きくてもよい。
【００１８】
後側ベルトは、中央後側ベルトゾーンと、中央後側ベルトゾーンから後側腰部縁部に向かって長手方向遠位にある第１の周辺後側ベルトゾーンと、中央後側ベルトゾーンから脚部開口部に向かって長手方向近位にある第２の周辺後側ベルトゾーンと、を有してもよい。中央後側ベルトゾーンは、第４の横断方向ピーク伸長力を有してもよく、第１の周辺後側ベルトゾーンは第５の横断方向ピーク伸長力を有してもよく、第２の周辺後側ベルトゾーンは、第６の横断方向ピーク伸長力を有してもよい。第４の横断方向ピーク伸長力は、第５及び第６の横断方向ピーク伸長力のうちの一方又は両方よりも大きくてもよい。
【００１９】
中央前側ベルトゾーンは、前側腰部縁部から長手方向にオフセットして第２の距離に設けられてもよく、中央後側ベルトゾーンは、後側腰部縁部から長手方向にオフセットして第１の距離に設けられてもよく、第２の距離は第１の距離よりも大きくてもよい。
【００２０】
吸収性物品の複数の弾性ストランドの全ての隣り合う弾性ストランドは、吸収性物品の長手方向に互いから離間して、２〜１５ｍｍの間隙を形成してもよい。
【００２１】
吸収性物品の第１及び第２の前側ベルト層、並びに第１及び第２の後側ベルト層は、孔を備えてもよい。
【００２２】
前側ベルトは、第１及び第２の周辺前側ベルトゾーン並びに中央前側ベルトゾーンを備えてもよく、第１及び第２の周辺前側ベルトゾーンは、第２の複数の弾性ストランドの弾性ストランドよりも多くの第１の複数の弾性ストランドの弾性ストランドを備えてもよく、中央前側ベルトゾーンは、第１の複数の弾性ストランドの弾性ストランドよりも多くの第２の複数の弾性ストランドの弾性ストランドを備えてもよい。後側ベルトは、第１及び第２の周辺後側ベルトゾーン並びに中央後側ベルトゾーンを備えてもよく、第１及び第２の周辺後側ベルトゾーンは、第４の複数の弾性ストランドの弾性ストランドよりも多くの第３の複数の弾性ストランドの弾性ストランドを備えてもよく、中央後側ベルトゾーンは、第３の複数の弾性ストランドの弾性ストランドよりも多くの第４の複数の弾性ストランドの弾性ストランドを備えてもよい。
【００２３】
吸収性物品の前側ベルトは、第２の複数の弾性ストランドの弾性ストランドと交互になる第１の複数の弾性ストランドの弾性ストランドを備えてもよい。後側ベルトは、第４の複数の弾性ストランドの弾性ストランドと交互になる第３の複数の弾性ストランドの弾性ストランドを備えてもよい。
【図面の簡単な説明】
【００２４】
【図１】着用者の周囲に配設される永久サイドシームを有する本発明の例示的な吸収性物品の斜視図である。
【図２】平らに広げた、本発明の例示的な吸収性物品の平面図である。
【図３】サイドシーム式によって互いに取り付けられている第１及び第２のベルトの対の拡大図である。
【図４】平らに広げた、本発明の別の例示的な吸収性物品の平面図である。
【図５】平らに広げた、本発明の更に別の例示的な吸収性物品の平面図である。
【図６】サイドシーム式によって互いに取り付けられている第１及び第２のベルトの一部の拡大図である。
【図７Ａ】ある特定の解剖学的特色及び低運動ゾーンの位置を示す、着用者の身体の前側冠状面図である。
【図７Ｂ】ある特定の解剖学的特色及び低運動ゾーンの位置を示す、着用者の身体の後方冠状面図である。
【図７Ｃ】本発明の吸収性物品によって作り出すことができる一次張力線の角度を示す、着用者の身体の側面図である。
【図８】本開示の複数の吸収性物品（テープ型又はパンツ型）の例示的なパッケージを示す。
【図９】「物品全体力測定法（Whole Article Force Measurement）」に従ったハンガー型の試料保持固定具の一例の概略図である。
【発明を実施するための形態】
【００２５】
本明細書で使用するとき、以下の用語は後に指定される意味を有するものとする。
【００２６】
本明細書で使用するとき、「吸収性物品」は、身体排出物を吸収して封じ込める装置を指し、より具体的には、身体から排出された様々な排出物を吸収して封じ込めるために、着用者の身体に対して又は近位に配置された装置を指す。吸収性物品としては、おむつ（乳児用おむつ及び成人用失禁用おむつ）、パンツ（乳児用又は成人用）、吸収性インサート（おむつ又はパンツを形成するために外側カバーに挿入されることを意図するもの）、生理用ナプキン又はパンティライナーなどの女性用ケア吸収性物品などを挙げることができる。本明細書で使用するとき、用語「排出物」は、限定するものではないが、尿、血液、膣排泄物、汗及び糞便を含む。本発明の好ましい吸収性物品は使い捨て吸収性物品であり、より好ましくは、使い捨ておむつ及び使い捨てパンツである。
【００２７】
本明細書で使用するとき、「使い捨て」は、通常の意味では、様々な期間にわたって限定された使用回数、例えば、２０回未満の使用、１０回未満の使用、５回未満の使用、又は２回未満の使用の後に、使い捨て又は廃棄される物品を意味するのに使用される。使い捨て吸収性物品が、個人衛生用途のためのおむつ、パンツ、生理用ナプキン、生理用パッド又はウェットティッシュである場合には、使い捨て吸収性物品はほとんどの場合、ただ１回の使用後に処分されることを意図されている。
【００２８】
本明細書で使用するとき、「非伸展性」は、以下の試験を受けた場合に、力を加えたときに、その元の長さが３０％未満上回って伸びる材料を指す。幅２．５４ｃｍ及び長さ２５．４ｃｍを有する長方形の材料片を、全幅に沿って、部片をその幅２．５４ｃｍの上縁部に沿って保持することによって、垂直位置に維持する。材料の全幅に沿って対向する下縁部に１分間、１０Ｎの力を加える（２５℃及び５０％の相対湿度で、試料を、これらの温度及び湿度条件で試験２時間前から、事前調整しておかなければならない）。１分経過後すぐに、力をまだ加えている間に部片の長さを測定し、１分後に測定された長さから初期の長さ（２５．４ｃｍ）を減算することによって、伸度を算出する。
【００２９】
上述の試験を受けた場合に、材料がその元の長さを３０％超上回って伸びる場合、材料は、本明細書で使用する「伸展性」である。
【００３０】
本明細書で使用するとき、「高非伸展性」は、「非伸展性」材料についての上述の試験を受けた場合に、力を加えると、その元の長さを１５％未満上回って伸びる材料を指す。
【００３１】
「非弾性」は、本明細書で使用するとき、以上において提示された「非伸展性」に関する試験の直後に実施されることになる以下の試験を受けた場合に、２０％超、回復しない材料を指す。
【００３２】
１０Ｎの力をまだ加えている間に長方形の材料片の長さを測定した直後に、力を除去し、部片を、回復することができるように、（２５℃及び５０％の相対湿度で）５分間、台上で横倒しに寝かせる。５分経過後すぐに、部片の長さを再び測定し、５分後の長さから初期の長さ（２５．４ｃｍ）を減算することによって、伸度を算出する。
【００３３】
力を加えたときの１分後の（「非伸展性」に関して測定した）伸長を、部片を５分間、台上で横倒しに寝かせた後の伸長と比較する。伸長が２０％超回復しない場合には、材料は、本明細書で使用するとおりの「非弾性」とみなされる。
【００３４】
材料が２０％超、回復する場合には、材料は、本明細書で使用するとおりの「弾性」とみなされる。
【００３５】
「高非弾性」は、本明細書で使用するとき、「非伸展性」である材料、又は以上において「非弾性」について提示された試験を受けた場合に１０％超、回復しない材料のどちらかを指す。
【００３６】
本発明の前側及び後側ベルト、並びにこれらのベルトに含まれるそれぞれの材料に関して、材料が吸収性物品に組み込まれると、材料の寸法に関する伸展性、非伸展性、高非伸展性、弾性、非弾性、及び高非弾性は、吸収性物品の横断方向中心線に平行である。したがって、上述の試験を実施するための２５．４ｃｍの試料の長さは、ベルトが吸収性物品に組み込まれると、前側及び後側ベルト（及び、含まれるそれぞれの材料）の横断方向に対応する。
【００３７】
本明細書で使用するとき、用語「備える／含む（comprises）」は、他の特色、構成要素、項目、又は工程を追加することができることを意味する、非限定的な用語である。本明細書で使用するとき、用語「備える／含む（comprises）」は、用語「本質的にからなる」及び「からなる」を含む。「からなる（Consist of）」は、用語「からなる」に続く特色、構成要素、又は工程のみが、更なる特色、構成要素、項目、又は工程を含まないことを意味する。
【００３８】
本明細書で使用するとき、「おむつ」及び「パンツ」とは、概して、乳児、幼児及び失禁者によって、着用者の腰及び脚を取り囲むように胴体下部の周囲に着用され、特に、尿及び糞便排泄物を受容し収容するように適合された吸収性物品を指す。パンツにおいては、本明細書で使用するとき、第１の腰部領域及び第２の腰部領域の縦方向縁部は、腰部開口部及び脚部開口部を予め形成するために互いに付着される。パンツは、着用者の脚を脚部開口部内に挿入し、パンツ吸収性物品を着用者の下部胴体の周りの所定位置に滑り込ませることによって、着用者の所定位置に配置される。パンツは、限定するものではないが、再締着可能な接合材及び／又は再締着不可能な接合材（例えば、縫合、溶接、接着剤、粘着性接合材、締着具など）を用いて吸収性物品の部分を互いに結合することを含む任意の好適な手法によって、予め形成されてもよい。パンツは、物品の外周に沿った任意の位置において予備成形することができる（例えば、側面締着、前腰部締着）。おむつにおいては、腰部開口部及び脚部開口部は、おむつが、第１の腰部領域及び第２の腰部領域の縦方向縁部を好適な締着システムによって両側で互いに（剥離可能に）付着させることによって着用者に適用されたときにのみ、形成される。
【００３９】
「長手方向」は、物品が平らに延ばされ非収縮状態のときに吸収性物品の腰部縁部から長手方向に対向する腰部端縁まで、実質的に垂直に走る方向を意味する。
【００４０】
「横断方向」とは、吸収性物品の長手方向に延在する側縁部から、横断方向に対向して長手方向に延在する側縁部まで走り、かつ概ね長手方向に直角な方向を指す。
【００４１】
「近位」及び「遠位」とは、吸収性物品の長手方向又は横断方向中心線から相対的に近いか又は遠い、要素の位置をそれぞれ指す（例えば、長手方向に延在する要素の近位縁部は、同じ長手方向中心線に対して位置する同じ要素の遠位端よりも、長手方向中心線近くに位置する）。
【００４２】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００４３】
吸収性物品
本明細書に開示の吸収性物品２０は、長手方向寸法を有する長手方向中心線１００と、横断方向寸法を有する横断方向中心線１１０とを有する。物品は、前側腰部縁部３１を有する前側腰部領域３６と、後側腰部縁部３２を有する後側腰部領域３８とを有する。股部領域３７は、前側及び後側腰部領域間に配設され、これらを連結する。前側及び後側腰部縁部３１及び３２は一緒に、物品が着用者に適用されると着用者の腰部を取り囲むように腰部開口部を形成する。吸収性物品は、物品が着用者に適用されると着用者の脚を取り囲む、一対の脚部開口部を更に備える。
【００４４】
吸収性物品２０は、中央シャーシ２２を備える。中央シャーシ２２は、液体不透過性バックシート２６と、液体透過性トップシート２４と、バックシートとトップシートとの間に配設された吸収性コアと、を備える。中央シャーシ２２は、第１の横断方向シャーシ縁部１４、第２の横断方向シャーシ縁部１５、第１の長手方向シャーシ側縁部１２、及び第２の長手方向シャーシ側縁部１３を有する。第１の横断方向縁部１４は、後側腰部領域３８に配設されてもよく、第２の横断方向縁部１５は、前側腰部領域３６に配設されてもよい。
【００４５】
吸収性物品２０は、前側ベルト６０と、後側ベルト４０と、を更に備える。前側ベルト６０は、第１及び第２の長手方向前側ベルト側縁部８６及び８７を備え得、後側ベルト３８は、第１及び第２の長手方向後側ベルト側縁部５５、５６を備え得る。前側ベルト６０は、第１及び第２の横断方向前側ベルト端縁部６７及び７０を備え得、後側ベルト４０は、第１及び第２の横断方向後側ベルト端縁部４７及び５０を備え得る。
【００４６】
中央シャーシ２２は、例えば、中央シャーシ２２をその第２の横断方向シャーシ縁部１５で又は当該第２の横断方向シャーシ縁部１５に隣接して前側ベルト６０に接合することによって、前側ベルト６０に取り付けられてもよい。中央シャーシ２２はまた、例えば、中央シャーシ２２をその第１の横断方向シャーシ縁部１４で又は第１の横断方向シャーシ縁部１４に隣接して後側ベルト４０に接合することによって、後側ベルト４０に取り付けられてもよい。中央シャーシ２２は、例えば、第１の後側ベルト層４１の身体に面する表面に接合されてもよく、第１の前側ベルト層６１の身体に面する表面に接合されてもよい。
【００４７】
中央シャーシ２２は、接着剤、超音波結合、圧力結合、熱結合、又はこれらの組み合わせなどの当該技術分野において既知の任意の手段によって、前側及び後側ベルト６０及び４０に取り付けられてもよい。
【００４８】
中央シャーシ２２は、吸収性物品の股部領域３７を通って前側及び後側腰部領域３６及び３８へと延在し得る。中央シャーシ２２の長手方向寸法は、中央シャーシ２２の第１の横断方向縁部１４が吸収性物品２０の後側腰部縁部３２と一致し、中央シャーシ２２の第２の横断方向縁部１５が吸収性物品２０の前側腰部縁部３１と一致するように、吸収性物品２０の長手方向寸法と同じであってもよい。あるいは、中央シャーシ２２は、第１の横断方向シャーシ縁部１４が吸収性物品２０の後側腰部縁部３２から横断方向にオフセットし、第２の横断方向シャーシ縁部１５が吸収性物品２０の前側腰部縁部３１から横断方向にオフセットするように、吸収性物品２０の長手方向寸法よりも短い長手方向寸法を有してもよい。更に別の代替例では、中央シャーシ２２は、第１の横断方向シャーシ縁部１４が吸収性物品２０の後側腰部縁部３２から横断方向にオフセットする一方で、第２の横断方向シャーシ縁部１５が吸収性物品２０の前側腰部縁部３１と一致するように、吸収性物品２０の長手方向寸法よりも短い長手方向寸法を有してもよい。なお別の代替例では、中央シャーシ２２は、第１の横断方向シャーシ縁部１４が吸収性物品２０の後側腰部縁部３２と一致し、第２の横断方向シャーシ縁部１５が吸収性物品２０の前側腰部縁部３１から横断方向にオフセットするように（しかしながら、後側腰部縁部３２から横断方向にオフセットすることが望ましい）、吸収性物品２０の長手方向寸法よりも短い長手方向寸法を有してもよい。
【００４９】
概して、中央シャーシ２０が、吸収性物品２０の前側及び／又は後側腰部縁部３１、３２から長手方向にオフセットする場合、前側及び／又は後側腰部縁部のオフセットは、吸収性物品２０の長手方向全体寸法の３〜３０％、又は吸収性物品の長手方向全体寸法の５〜２５％であってもよい。
【００５０】
好ましい実施形態では、中央シャーシ２２は、吸収性物品２０の後側腰部縁部３２からオフセットされるよりも小さく、吸収性物品２０の前側腰部縁部３１から、長手方向にオフセットする。後側オフセット対前側オフセットの比は、１．１〜５、好ましくは１．５〜３であってもよい。オフセットは、中心シャーシ２２が着用者の低運動ゾーン内に主に存在することを確実にする（より詳細には以下を参照されたい）。これは、中央シャーシ２２が、非伸展性又は高非伸展性の材料で作製され得ることに関係する。（本明細書で留意するべきなのは、上記の試験方法から逸脱して、用語「非伸展性」及び高非伸展性」が中心シャーシに関連して使用されるので、伸展方向は長手方向で決定される。したがって、上述の試験を実施するための２５．４ｃｍの試料の長さは、材料が次いで中央シャーシに組み込まれる際の材料の長手方向に相当する。）
【００５１】
図２、４、及び５は、平らな非収縮状態の（即ち弾性が誘起する収縮のない）、本開示の吸収性物品２０の例示的かつ非限定的な実施形態の平面図である。吸収性物品２０の身体に面する表面が、読者に面している。吸収性物品２０は、長手方向中心線１００と、横断方向中心線１１０と、を含む。吸収性物品２０は、中央シャーシ２２と、前側ベルト６０と、後側ベルト４０と、を備える。吸収性物品２０は、前側腰部領域３６と、前側腰部領域３６と対向する後側腰部領域３８と、前側腰部領域３６と後側腰部領域３８との間に位置する股部領域３７と、を有する。腰部領域３６及び３８は、吸収性物品２０において、着用時に着用者の腰部を取り囲む部分を概ね含む。腰部領域３６及び３８は、向上したフィット性及び封じ込め性を提供するように、着用者の腰部周囲でギャザーをなすような弾性ストランド２００を含む。股部領域３７は、吸収性物品２０が着用されたときに、概ね着用者の脚の間に位置付けられる吸収性物品２０の部分である。
【００５２】
中央シャーシ
吸収性物品２０は、中央シャーシ２２を備える。中央シャーシ２２は、液体不透過性バックシート２６と、液体透過性トップシート２４と、バックシートとトップシートとの間に配設された吸収性コア（図示せず）と、を備える。中央シャーシ２２は、第１の横断方向シャーシ縁部１４、第２の横断方向シャーシ縁部１５、第１の長手方向シャーシ側縁部１２、及び第２の長手方向シャーシ側縁部１３を有する。第１の横断方向シャーシ縁部１４は、後側腰部領域３８に配設されてもよく、第２の横断方向シャーシ縁部１５は、前側腰部領域３６に配設されてもよい。
【００５３】
対向する第１及び第２の長手方向シャーシ側縁部１２及び１３は、吸収性物品２０の長手方向中心線１００に概ね平行に配向されてもよい。しかしながら、より良好なフィット性のため、第１及び第２の長手方向シャーシ側縁部１２及び１３は、例えば、平面図で見ると「砂時計」形の吸収性物品が製造されるように、湾曲しても角度があってもよい。対向する第１及び第２の横断方向シャーシ縁部１４及び１５は、直線状であってもよく、吸収性物品２０の横断方向中心線１１０に概ね平行に配向されてもよい。
【００５４】
中央シャーシ２２は、液体透過性トップシート２４と、液体不透過性バックシート２６と、トップシート２４とバックシート２６との間の吸収性コアと、を備える。吸収性コアは、身体に面する表面及び衣類に面する表面を有する。トップシート２４は、吸収性コア及び／又はバックシート２６に接合されてもよい。バックシート２６は、吸収性コア及び／又はトップシート２４に接合されてもよい。中央シャーシは、吸収性コアとトップシート２４との間に配設される流体吸収システムなどの、吸収性コアとトップシート２４及び／又はバックシート２６との間に位置する他の構造、要素、又は基材を有してもよい。トップシート２４、バックシート２６、及び吸収性コアは、種々の周知の構成で組み立てられ得るが、好適な構成は、概して米国特許第３，８６０，００３号、同第５，１５１，０９２号、同第５，２２１，２７４号、同第５，５５４，１４５号、同第５，５６９，２３４号、同第５，５８０，４１１号、及び同第６，００４，３０６号に記載されている。
【００５５】
トップシート２４は、概して、吸収物品が着用されると、着用者に少なくとも部分的に接触するか又は近接して位置し得る、吸収性物品２０の一部分である。好適なトップシート２４は、多孔質発泡体、網状発泡体、有孔プラスチックフィルム、又は天然繊維（例えば、木材繊維若しくは綿繊維）、合成繊維（例えば、ポリエステル繊維若しくはポリプロピレン繊維）、又は天然繊維と合成繊維との組み合わせによる織布ウェブ又は不織布ウェブなどを含み得る。トップシート２４は、一般に、着用者の肌に対してしなやかで柔らかい感触であり、非刺激性である。一般に、トップシート２４の少なくとも一部は、液体透過性であり、液体をトップシート２４の厚みを通って容易に透過させることができる。本明細書で有用なトップシート２４の１つは、ＢＢＡ  Ｆｉｂｅｒｗｅｂ（Ｂｒｅｎｔｗｏｏｄ，ＴＮ）から供給元コード０５５ＳＬＰＶ０９Ｕとして入手可能である。
【００５６】
トップシート２４の任意の部分が、当該技術分野において既知のローション又はスキンケア組成物によりコーティングされていてもよい。好適なローションの例としては、米国特許第５，６０７，７６０号、同第５，６０９，５８７号、同第５，６３５，１９１号、及び同第５，６４３，５８８号に記載されている。トップシート２４は、全体的に又は部分的に伸縮性であってもよいか、又はトップシート２４と吸収性コア２８との間に空隙空間を提供するように収縮させてもよい。伸縮性を持たせた又は収縮されたトップシートを含む好適な構造体が、米国特許第４，８９２，５３６号、同第４，９９０，１４７号、同第５，０３７，４１６号、及び同第５，２６９，７７５号に記載されている。
【００５７】
吸収性コアは、使い捨ておむつ、パンツ、及び他の吸収性物品に通常使用される多種多様な液体吸収性材料を備え得る。好適な吸収性材料の例として、通常エアフェルト、捲縮セルロース塊、コフォームを含むメルトブローンポリマーと呼ばれる粉砕された木材パルプ、化学的に堅固化、改質、又は架橋されたセルロース繊維、薄紙の包装紙及び薄紙積層体を含む薄紙、吸収性発泡体、吸収性スポンジ、超吸収性ポリマー（ＳＡＰ）、又は任意の他の吸収性材料若しくは材料の組み合わせが挙げられる。吸収性材料は、コアカバー９５ａ（身体に向かう上層）及びダスティング層（衣類に向かう下層）を含み得る、１つ以上のコアラップ層によって収容され得る。コアラップ層は、不織布ウェブであってもよい。吸収性コアの少なくとも一部分又は全ては、セルロースを実質的に含まなくてもよく、１０重量％未満のセルロース繊維、５重量％未満のセルロース繊維、１重量％未満のセルロース繊維、微量のセルロース繊維を含有するか、又はセルロース繊維を含有しなくてもよい。微量のセルロース材料は、実質的にセルロースを含まない吸収性コアの一部分の薄さ、可撓性、及び吸収性に著しく影響を及ぼさないことが理解されるべき。他の利点の中でも、吸収性コアの少なくとも一部が実質的にセルロースを含まない場合、吸収性コアのこの部分は、１０重量％超のセルロース繊維を含む、同様の吸収性コアよりも著しく薄く、高い可撓性があると考えられる。吸収性コア内の粒子状のＳＡＰの量は変動してもよく、吸収性コアの約８０重量％超、又は吸収性コアの約８５重量％超、又は吸収性コアの約９０重量％超、又はコアの約９５重量％超であり得る（存在する場合、コアラップ層は、百分率を計算するときに除外される）。吸収性コア２８は、例えば、コアラップ層内でＳＡＰを固定化するのを助けるために、及び／又はコアラップ層を元のままの状態で確保するために、接着剤を含んでもよい。
【００５８】
吸収性コアとして使用するための例示的な吸収性構造は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号に記載されている。
【００５９】
液体不透過性バックシート２６は、概して、吸収性物品２０の衣類に面する表面の少なくとも一部分を形成することができるように位置する。バックシート２６は、吸収性物品２０によって吸収され、その中に収容された排出物が、ベッドシーツ及び下着などの、吸収性物品２０と接触し得る物品を汚すのを防止するように設計され得る。好適なバックシート２６の材料としては、Ｔｒｅｄｅｇａｒ  Ｉｎｄｕｓｔｒｉｅｓ  Ｉｎｃ．（Ｔｅｒｒｅ  Ｈａｕｔｅ、ＩＮ）により製造され、商品名Ｘ１５３０６、Ｘ１０９６２、及びＸ１０９６４で販売されているものなどのフィルムが挙げられる。他の好適なバックシート２６の材料としては、吸収性物品２０から蒸気を逃がすことが可能でありながら排出物がバックシート２６を通過することを防止する、通気性材料を挙げることができる。例示的な通気性材料としては、織布ウェブ、不織布ウェブ、フィルムコーティング不織布ウェブなどの複合材料、並びに微多孔質フィルムなどの材料（ＥＳＰＯＩＲ  ＮＯの名称で日本のＭｉｔｓｕｉ  Ｔｏａｔｓｕ  Ｃｏ．により製造されているもの、及びＥＸＸＡＩＲＥの名称でＥＸＸＯＮ  Ｃｈｅｍｉｃａｌ  Ｃｏ．（Ｂａｙ  Ｃｉｔｙ、ＴＸ）により製造されているものなど）を挙げることができる。ポリマーブレンドを含む好適な通気性複合材料は、ＨＹＴＲＥＬブレンドＰ１８−３０９７という名称で、Ｃｌｏｐａｙ  Ｃｏｒｐｏｒａｔｉｏｎ（Ｃｉｎｃｉｎｎａｔｉ、ＯＨ）から入手可能である。このような通気性複合材料は、ＰＣＴ出願ＷＯ９５／１６７４６号及び米国特許第５，８６５，８２３号に、一層詳細に記載されている。不織布ウェブ及び有孔成形フィルムを含めた他の通気性バックシートが、米国特許第５，５７１，０９６号に記載されている。好適なバックシートは、米国特許第６，１０７，５３７号に開示されている。以下に限定されないが、表面処理、特定のフィルムの選択及び加工、特定のフィラメントの選択及び加工などを含めた、他の好適な材料及び／又は製造技法が、好適なバックシート２６を提供するために使用されてもよい。
【００６０】
バックシート２６はまた、２層以上の層から構成されてもよい。バックシート２６は、外側カバー層及び内側層を備えてもよい。外側カバー層は、柔軟な不織布材から作製されてもよい。内側層は、フィルム材であってもよい。バックシート２６は、グラフィックパッチ層を含んでもよい。少なくとも１つの層は、１つ以上の表面上に単色又は多色印刷を有してもよい。内側層は、実質的に液体不透過性のフィルムから作製され得る。外側カバー及び内側層は、接着剤又は任意の他の好適な材料又は方法によって１つに接合されていてもよい。特に好適な外側カバーは、供給元コードＡ１８ＡＨ０としてＣｏｒｏｖｉｎ  ＧｍｂＨ（Ｐｅｉｎｅ，Ｇｅｒｍａｎｙ）から入手可能であり、特に好適な内側層は、供給元コードＰＧＢＲ４ＷＰＲとしてＲＫＷ  Ｇｒｏｎａｕ  ＧｍｂＨ（Ｇｒｏｎａｕ，Ｇｅｒｍａｎｙ）から入手可能である。
【００６１】
吸収性物品２０は、脚部ガスケットシステム１２０を含んでもよい。脚部ガスケットシステム１２０は、内側カフの折り畳まれた縁部及び内側カフの材料縁部を備え得る、内側脚部カフを備えてもよい。脚部ガスケットシステム１２０は、外側カフの折り畳まれた縁部及び外側カフの材料縁部を備え得る、外側カフを更に備えてもよい。脚部ガスケットシステムは、中央シャーシの構成要素であってもよい。
【００６２】
脚部ガスケットシステム１２０は、内側脚部カフのみを備えてもよい。
【００６３】
内側及び外側脚部カフは、フィルム及び／又は不織布によって形成されてもよく、接着剤を使用して接合されてもよい。一実施形態では、脚部ガスケットシステム１２０は、１つの材料ウェブを含む。別の実施形態では、脚部ガスケットシステム１２０の少なくとも一部分は、別個のウェブ材料、トップシート２４の一部、及び／又はバックシート２６の一部で形成されてもよい。
【００６４】
外側脚部カフは、外側カフの折り畳まれた縁部と外側カフの材料縁部との間に、横断方向の配列で位置する弾性部材１２１を備えてもよく、外側脚部カフは、任意選択的に、少なくとも２つの弾性部材１２１、少なくとも３つの弾性部材１２１を備えるが、５つ以下の弾性部材１２１を備え得る。一実施形態では、弾性部材１２１は、外側カフの折り畳まれた縁部と内側カフの材料縁部との間に配設されてもよい。
【００６５】
脚部ガスケットシステム１２０は、内側カフの折り畳まれた縁部及び内側カフの材料縁部と、１〜４つの弾性部材１２２で構成される内側脚部カフとを有してもよい。脚部ガスケットシステム１２０は、外側カフの折り畳まれた縁部、及び外側カフの材料縁部を含む、外側カフを更に備えてもよい。
【００６６】
低運動ゾーン
図７Ａ及び図７Ｂは、着用者の低運動ゾーンが位置するところを示す着用者の正面及び背面図を示す。図面中の網掛けゾーンは、低運動ゾーンを表している。着用者の解剖学的構造によって定義されるように、「低運動ゾーン」は、動的動作にもかかわらず実質的に変形されていないままであるか、又は非常にわずかな運動をも受けない身体のゾーン又は区域を意味するように定義される。図７Ａに示されるように、低運動ゾーンは、腹直筋、以降腹部の筋目「Ｔ」によって作り出される筋目又は折り目を通って各上前腸骨棘「Ｓ」に連結する下腹部領域の弓状線によって縁取られている。腹部の筋目は、典型的には、着用者が座位に入るとき、腹部によって作り出される皮膚又は筋肉の折り目又は屈曲筋目である。低運動ゾーンは、上前腸骨棘を、大臀筋下の鼡径靱帯に沿って（臀部折り目に沿って）会陰を通り、下後腸骨棘（以下脚部筋目「Ｌ」）周囲に連結する弓状線によって、各々の横断方向側面で縁取られている。図７Ｂに示されるように、低運動ゾーンは、背中の腰椎曲線「Ｒ」（背中のくぼみ）に沿って、大臀筋上の下後腸骨棘を連結する線によって、着用者の背面で縁取られている。本発明の目的のために、着用者の動作によって引き起こされるこのゾーンに発生する力は、臀部を超えて物品を腰椎曲線へ押し上げて、物品のフィット性を低下させるのではなく、そのようなフィット性をむしろ向上させる傾向があるので、大臀筋が一部の動的運動を受けるという事実にもかかわらず、低運動ゾーンはまた（図７Ｂに網掛けがないが）、大臀筋のゾーン又は区域を含む。
【００６７】
本発明の吸収性物品の前側及び後側ベルトは、吸収性物品の使用中に物品を着用者の周囲に固定して、吸収性物品の使用中の垂れ下がり／間隙ができること及び横滑り／滑りの可能性が低減される、「固定システム」を物品に提供することができる。固定システムは、着用中に吸収性物品の位置を維持するための固定力を付与する、実質的に低運動ゾーンの周囲周辺の張力線（ゾーン）（複数可）（以下、一次張力線）を提供する。図７に示されるように、一次張力線が背中の腰椎曲線周囲（「背中のくぼみ」）からヒップの腸骨稜を超えて腹部筋目まで延在するように、一次張力線は、着用者の身体の水平に対して、角度α（吸収性物品の横断方向に対する角度）で配設される。したがって、一次張力線が安定し、着用者の動作、又は負荷がかかったときの吸収性物品の増加した重量の力に起因して、使用中に吸収性物品が横滑り又は滑り落ちる可能性が低いように、着用者上の吸収性物品の位置を維持する固定力を維持するように、一次張力線は、身体寸法の変化が最小のゾーンに配設される（すなわち、一次張力線は、動作中寸法が増減する腹部又は大臀筋上に配設されない）。固定システムによって作り出される角度のある一次張力線はまた、身体上の吸収性物品を引き上げる傾向のある上向きの固定力を吸収性物品に付与し、したがって、一次張力線が長手方向にベクトル成分を有するので、負荷のかかった物品の重力に対抗する。垂直の固定力が圧縮的に作用して物品と身体とを密接に接触させるので、一次張力線（角度のある一次張力線の別のベクトル成分）によって作り出される垂直の固定力によって、低運動ゾーンに吸収性物品を固定する。したがって、物品及び特に吸収性コアが実質的に固定された位置に身体と密接した関係で維持されるので、これらの垂直の固定力は、吸収性物品のフィット性を維持し、同様に漏れを低減するのを補助する。赤くなることを引き起こし得る、一次張力線に沿った身体寸法の増減がないように、固定力が低運動ゾーンに配設されるので、角度のある一次張力線はまた、皮膚が赤くなることを低減する傾向がある。
【００６８】
本発明の吸収性物品の前側及び後側ベルト６０及び４０は、低運動ゾーンの外側の前側及び後側ベルトの区域（第１及び第２の周辺前側ベルトゾーン６３及び６５、並びに第１及び第２の周辺後側ベルトゾーン４３及び４５に対応する）と比較して、脚部開口部区域と腰部開口部区域との間の低運動ゾーン（中央前側ベルトゾーン及び中央後側ベルトゾーンに対応する）に、より高い応力をかけることができる。それにより、吸収性物品は、着用者の低運動ゾーンの周辺内で持続的に設けられ、低運動ゾーン内にフィットしない部分での吸収性物品の拡張を提供する。
【００６９】
前側及び後側ベルト
本発明の吸収性物品２０は、前側ベルト６０と、後側ベルト６０と、を備える。前側ベルト６０は、前側腰部領域３６に設けられる。前側ベルト６０は、単独で、又は例えば第２の横断方向シャーシ縁部１５と組み合わせて、吸収性物品２０の前側腰部縁部３１を形成してもよい。後側ベルト４０は、後側腰部領域３８に設けられる。後側ベルト４０は、単独で、又は例えば第１の横断方向シャーシ縁部１４と組み合わせて、吸収性物品２０の後側腰部縁部３２を形成してもよい。
【００７０】
前側ベルト６０は、前側ベルト６０の内側（すなわち、身体に面する）表面上に配設された第１の前側ベルト層６１と、前側ベルト６０の外側（すなわち、衣類に面する）表面上に配設された第２の前側ベルト層６２と、を備える。
【００７１】
後側ベルト４０は、後側ベルトの内側（すなわち、身体に面する）表面上に配設された第１の後側ベルト層４１と、後側ベルトの外側（すなわち、衣類に面する）表面上に配設された第２の後側ベルト層４２と、を備える。
【００７２】
前側及び後側ベルト６０及び４０は各々、吸収性物品２０の実質的に横断方向に沿って延在する弾性ストランド２００を更に備える。前側ベルト６０の弾性ストランド２００は、第１及び第２の前側ベルト層６１及び６２間に配設される。後側ベルト４０の弾性ストランド２００は、第１及び第２の後側ベルト層４１及び４２間に配設される。
【００７３】
横断方向は、吸収性物品２０の横断方向中心線１１０に平行に延在する。本明細書で使用するとき、横断方向に沿って「実質的に」延在する弾性ストランドは、弾性ストランドが横断方向中心線から最大３０°、又は最大２０°、又は最大１５°、又は最大１０°、又は最大５°の角度で延在する横断方向からの偏差を含む。実質的に横断方向に沿ってとはまた、（偏差なしで）横断方向に平行であることも含む。
【００７４】
実質的に横断方向に沿って延在する弾性ストランドは、直線状に延在してもよい、すなわち直線に沿って延在する。あるいは、実質的に横断方向に沿って延在する弾性ストランドは、吸収性物品の横断方向中心線に対して、平行な又は角度のある（最大３０°、又は最大２０°、又は最大１５°、又は最大１０°、又は最大５°）線と少なくとも２回交差するように、湾曲していてもよい。
【００７５】
弾性ストランド２００はまた、例えば、弾性ストランドのうちの一部が直線状にかつ横断方向中心線に平行に延在する一方で、他の弾性ストランドが、横断方向中心線に対して湾曲しかつ角度があるように、上記の実施の組み合わせとして設けられてもよい。
【００７６】
弾性ストランド２００が実質的に横断方向に沿って延在しているかどうかは、弾性ストランドが引き伸ばされた状態でそれぞれのベルト層が平坦かつ直線状かどうかで決定される。
【００７７】
第１の前側ベルト層６１及び第２の前側ベルト層６２は各々、１つの連続的な材料シート（単一層材料又は積層体であってもよい）で作製されてもよい。あるいは、第１及び第２の前側ベルト層６１及び６２は各々、第１及び第２の前側ベルト層をそれぞれ形成するように、それらの周辺の部分に沿って互いに接合されている、２枚以上の材料シートで作製されてもよい。第１及び第２の前側ベルト層６１及び６２はまた、前側腰部縁部３１で連続的な材料シート（単一層材料又は積層体であってもよい）を折り重ねることによって形成されてもよい。また、連続的な材料シート（単層材料又は積層体であってもよい）は、前側腰部縁部３１で折り重ねられて、完全な第２の前側ベルト層６２及び第１の前側ベルト層６１の部分を形成してもよく、材料のうちの１つ以上の他の連続シート（複数可）（各々単層材料又は積層体であってもよい）が、第２の前側ベルト層と連続的であり、折り重ねられることによって形成される第１の前側ベルト層の部分に接合されている。
【００７８】
同様に、第１及び第２の後側ベルト層４１及び４２は各々、１つの連続的な材料シート（単一層材料又は積層体であってもよい）で作製されてもよい。あるいは、第１及び第２の後側ベルト層４１及び４２は各々、第１及び第２の後側ベルト層４１及び４２をそれぞれ形成するように、それらの周辺の部分に沿って互いに接合されている、２枚以上の材料シートで作製されてもよい。第１及び第２の後側ベルト層４１及び４２はまた、後側腰部縁部３２で連続的な材料シート（単一層材料又は積層体であってもよい）を折り重ねることによって形成されてもよい。また、連続的な材料シート（単層材料又は積層体であってもよい）は、後側腰部縁部３２で折り重ねられて、完全な第２の後側ベルト層４２及び第１の後側ベルト層４１の部分を形成してもよく、材料のうちの１つ以上の他の連続シート（複数可）（各々単層材料又は積層体であってもよい）が、第２の後側ベルト層と連続的であり、折り重ねられることによって形成される第１の後側ベルト層の部分に接合されている。
【００７９】
後側ベルト４０は、後側ベルト４０が着用者の臀部を覆うことが意図されるため、前側ベルト６０よりも大きい長手方向寸法を有してもよい。
【００８０】
ベルト層
第１及び第２の前側ベルト層６１及び６２、並びに第１及び第２の後側ベルト層４１及び４２は、非伸展性、非弾性、又は高非弾性であってもよい。それらは、不織布ウェブ、織布ウェブ、編布地、ポリマーフィルム、有孔ポリマーフィルム、スポンジ、発泡体、スクリム、並びにこれらの組み合わせ及びこれらの積層体から形成されていてもよい。
【００８１】
ベルト層４１、４２、６１、及び６２を形成するために使用される不織布ウェブは、繊維及びウェブがほぼ同時点で形成される間の直接押出プロセスによって、又は別個に後続の時点でウェブに敷設され得る予め形成された繊維によって形成することができる。直接押出プロセスの例としてはスパンボンディング、スパンレイド、メルトブローイング、溶剤スピニング、エレクトロスピニング、カード、フィルムフィブリル化、メルトフィルムフィブリル化、エアレイド、ドライレイド、ウェットレイドステープル繊維、及び典型的に層を形成するこれらの組み合わせが挙げられるが、これらに限定されない。
【００８２】
「レイ」プロセスの例としては、湿式レイ及び乾式レイが挙げられる。乾式レイプロセスの例としては、エアレイ、カーディング、及びこれらの組み合わせが挙げられるがこれらに限定されない。組み合わせ例としては、典型的には層において、スパンボンド−メルトブローン−スパンボンド（ＳＭＳ）、スパンボンド−カーディング（ＳＣ）、スパンボンド−エアレイド（ＳＡ）、メルトブローン−エアレイド（ＭＡ）、及びこれらの組み合わせが挙げられるがこれらに限定されない。不織布ウェブ中の繊維は、典型的には、重なり合う接合部のいくつかで、１つ以上の隣接する繊維に接合される。これには、２層以上の層があるとき、各層内での繊維の接合と層間の繊維の接合とが包含される。繊維は、機械的なもつれ（圧力結合、熱結合、化学的結合、又はこれらの組み合わせなどによって）接合することができる。
【００８３】
いくつかの実施態様では、不織布は、電解紡糸不織布ウェブ、フラッシュパン不織布ウェブ（例えば、ＤｕＰｏｎｔによるＴＹＶＥＫ（商標））、又はこれらの組み合わせであってもよい。
【００８４】
第１及び第２の前側ベルト層並びに第１及び第２の後側ベルト層に使用される不織布ウェブは、ポリプロピレン（ＰＰ）又はポリエチレン（ＰＥ）、ＰＰとＰＥとのブレンド、ポリエステル、ポリアミド、ポリウレタン、レーヨン、セルロース、これらのコポリマー、又はこれらのブレンド若しくは混合物、などのポリオレフィン繊維で作製することができる。ベルト層の不織布ウェブはまた、ポリ乳酸（ＰＬＡ）、ポリエチレンテレフタレート（ＰＥＴ）、及び／又はこれらのブレンド若しくは混合物で作製されてもよい。
【００８５】
第１及び第２の前側ベルト層６１及び６２、並びに第１及び第２の後側ベルト層４１及び４２に使用される不織布ウェブはまた、均質な構造体である、すなわち、繊維が単成分繊維である繊維で構成されているか、又はシース／コア、サイドバイサイド、海島型、及び他の２成分構成を有し得る２成分繊維を含んでもよい。
【００８６】
ベルト層として使用され、２成分繊維又は多成分繊維で作製された不織布ウェブとしては、繊維の構成要素のうちの１つ、好ましくは外側構成要素は、ポリエチレン又は弾性ポリオレフィン、弾性ポリウレタンなどの軟質ポリマーであってもよい。例えば、シース／コア２成分繊維では、シースはポリエチレンで作製されてもよい一方で、コアはポリプロピレンで作製されてもよい。多くの場合、それら個々の成分は、ポリプロピレン若しくはポリエチレンなどのポリオレフィン、又はこれらのコポリマー、ポリエステル、熱可塑性多糖類、若しくは他のバイオポリマーを含む。いくつかの実施態様では、不織布は、コアがＰＥＴであり外側シースがＰＥである、ＰＥ／ＰＥＴ（ポリエチレン／ポリエチレンテレフタレート）コア／シース２成分材料であってもよい。
【００８７】
ベルト層の不織布ウェブは、脂肪族ポリエステル、熱可塑性の多糖、又は他のバイオポリマーなどの成分を、添加剤又は改質剤として含んでもよい。
【００８８】
第１及び第２の前側ベルト層６１及び６２のうちの一方若しくは両方、並びに／又は第１及び第２の後側ベルト層４１及び４２のうちの一方若しくは両方が有孔であってもよい。第１及び第２の前側ベルト層のうちの一方若しくは両方、並びに／又は第１及び第２の後側ベルト層のうちの一方若しくは両方を形成する、以下に記載の様式で有孔である不織布ウェブを使用することにより、魅力的かつ興味深い効果を提供することができる。例えば着用中にベルトが移動し引き伸ばされる際、孔及びそれを囲む材料は、前側及び後側ベルトでの収縮により生じる皺と相互作用する。それぞれのベルト層の孔は、開放し、閉鎖し、形状を変化させ、第２の（又は第４の）ベルト層に対して偏位することにより、視覚的印象の複雑さ、深さ、及び追加のテクスチャを提供する。
【００８９】
加えて、孔のパターンは、機械方向間隔、横断方向間隔、孔形状及び孔サイズのうちの１つ以上において、不織布ウェブの予め結合されたパターン（存在する場合）と実質的に同様か又は同一であってもよい。例えば、予結合のパターンは、開口のパターンとして実質的に類似の機械及び横断方向間隔を有することができる。上述の１つ以上の観点で実質的に同様である、予備結合のパターン及び孔のパターンを使用することは、その材料に、より均一で、より整然とした、かつ／又は、より一貫性のある外観を与える手助けとなり得るものであり、また、そのような類似性を予備結合のパターン及び孔のパターンが有さないウェブと比較して、引張強度を向上させる手助けにもなり得るものである。
【００９０】
弾性ストランド
前側及び後側ベルト６０及び４０に使用される弾性ストランド２００は、円形、楕円形、三角形、又は正方形を含むがこれらに限定されない種々の断面形状を有してもよく、種々の材料、例えば天然ゴム及び／又はライクラで形成されてもよい。材料はまた、Ｄｔｅｘ又はデニールとしても知られる種々の断面積を備え得る。
【００９１】
前側ベルト６０の弾性ストランド２００は、第１の複数の弾性ストランド６６及び第２の複数の弾性ストランド６８を備える。第１の複数の弾性ストランド６６の弾性ストランドは、第１及び第２の前側ベルト層６１及び６２（のみ）のうちの一方又は両方に、それらのそれぞれの横断方向に対向する端部で又は当該端部に隣接して取り付けられる。第２の複数の弾性ストランド６８の弾性ストランドは、第１及び第２の前側ベルト層のうちの一方又は両方に、実質的にそれらの全長に沿って取り付けられる。
【００９２】
同様に、後側ベルト４０の弾性ストランドは、第３の複数の弾性ストランド４６及び第４の複数の弾性ストランド６８を備える。第３の複数の弾性ストランド４６の弾性ストランドは、第１及び第２の後側ベルト層４１及び４２（のみ）のうちの一方又は両方に、それらのそれぞれの横断方向に対向する端部で又は当該端部に隣接して取り付けられる。第４の複数の弾性ストランド４８の弾性ストランドは、第１及び第２の後側ベルト層４１及び４２のうちの一方又は両方に、実質的にそれらの全長に沿って取り付けられる。
【００９３】
ゾーンを有するベルト
本発明の吸収性物品２０の前側ベルト６０は、中央前側ベルトゾーン６４、並びに第１及び第２の周辺前側ベルトゾーン６３及び６５を有してもよい。中央前側ベルトゾーン６４、並びに第１及び第２の周辺前側ベルトゾーン６３及び６５は各々、第１の長手方向前側ベルト側縁部８６から第２の長手方向前側ベルト側縁部８７まで、前側ベルト６０内で実質的に全横断方向にわたって延在してもよい。第１の周辺前側ベルトゾーン６３は、中央前側ベルトゾーン６４から前側腰部縁部３１に向かって長手方向遠位に（すなわち中央前側ベルトゾーン６４よりも吸収性物品２０の横断方向中心線１１０から更に離れて）設けられてもよく、第２の周辺前側ベルトゾーン６５は、中央前側ベルトゾーン６４から脚部開口部に向かって長手方向近位に（すなわち、中央前側ベルトゾーン６４よりも横断方向中心線１１０の近くに）設けられてもよい。第１の周辺前側ベルトゾーン６３は、吸収性物品２０の前側腰部縁部３１を含んでもよい。第２の周辺前側ベルトゾーン６５は、前側ベルト６０によって形成される脚部開口部のそれらの部分を含んでもよい。
【００９４】
本発明の吸収性物品２０の後側ベルト４０は、中央後側ベルトゾーン４４、並びに第１及び第２の周辺後側ベルトゾーン４３及び４５を有してもよい。中央後側ベルトゾーン４４、並びに第１及び第２の周辺後側ベルトゾーン４３及び４５は、第１の長手方向後側ベルト側縁部５５から第２の長手方向後側ベルト側縁部５６まで、後側ベルト４０の内で実質的に全横断方向にわたって延在してもよい。第１の周辺後側ベルトゾーン４３は、中央後側ベルトゾーン４４から後側腰部縁部３２に向かって長手方向遠位に（すなわち中央後側ベルトゾーン４４よりも吸収性物品２０の横断方向中心線１１０から更に離れて）設けられてもよく、第２の周辺後側ベルトゾーン４５は、中央後側ベルトゾーン４４から脚部開口部に向かって長手方向近位に（すなわち、中央後側ベルトゾーン４４よりも横断方向中心線１１０の近くに）設けられてもよい。第１の周辺後側ベルトゾーン４３は、吸収性物品２０の後側腰部縁部３２を含んでもよい。第２の周辺後側ベルトゾーン４５は、後側ベルト４０によって形成される脚部開口部のそれらの部分を含んでもよい。
【００９５】
中央前側ベルトゾーン６４は、前側腰部縁部３１から長手方向にオフセットして第２の距離Ｌ２（すなわち、吸収性物品の横断方向中心線１１０の近く）に設けられてもよく、中央後側ベルトゾーン４４は、後側腰部縁部３２から長手方向にオフセットして第１の距離Ｌ１（すなわち、吸収性物品の横断方向中心線の近く）に設けられてもよい。第２のＬ２距離は、第１の距離Ｌ１よりも大きくてもよい。第２の距離Ｌ２対第１の距離Ｌ１の比は、１．０５〜４、好ましくは１．５〜３であってもよい。第２の距離Ｌ２は、前側腰部縁部３１から、第１の周辺前側ベルトゾーン６３と中央前側ベルトゾーン６４との間の境界線まで測定されたものである。第１の距離Ｌ１は、後側腰部縁部３２から、第１の周辺後側ベルトゾーン４３と中央後側ベルトゾーン４４との間の境界線まで測定されたものである。
【００９６】
前側及び後側腰部縁部３１及び３２は、直線状であっても、吸収性物品２０の横断方向中心線１１０に平行に延在してもよい。同様に、第１の周辺前側ベルトゾーン６３と中央前側ベルトゾーン６４との間の境界線、及び中央前側ベルトゾーン６４と第２の周辺前側ベルトゾーン６５との間の境界線は、直線状であっても横断方向中心線１１０に平行であってもよく、第１の周辺後側ベルトゾーン４３と中央後側ベルトゾーン４４との間の境界線、及び中央後側ベルトゾーン４４と第２の周辺後側ベルトゾーン４５との間の境界線は、直線状であっても吸収性物品２０の横断方向中心線１１０に平行であってもよい。前側及び後側腰部縁部３１及び３２、並びにそれぞれのベルトゾーンの間の境界線が直線状であるかどうかは、弾性ストランドが引き伸ばされた状態でそれぞれのベルト層が平坦かつ直線状であるかどうかで決定される。
【００９７】
中央前側ベルトゾーン６４、第１及び第２の周辺前側ベルトゾーン６３及び６５は各々、長手方向前側ベルト寸法の１／３を構成してもよい。中央後側ベルトゾーン４４、並びに第１及び第２の周辺後側ベルトゾーン４３及び４５は各々、長手方向後側ベルト寸法の１／３を構成してもよい。中央前側ベルトゾーン６４、第１及び第２の周辺前側ベルトゾーン６３及び６５、中央後側ベルトゾーン４４、並びに第１及び第２の周辺後側ベルトゾーン４３及び４５は各々、横断方向のピーク伸長力を有し得る。第１及び第２の周辺前側ベルトゾーン６３及び６５の横断方向ピーク伸長力は、中央前側ベルトゾーン６４のピーク伸長力よりも低くてもよい。第１及び第２の周辺後側ベルトゾーン４３及び４５の横断方向ピーク伸長力は、中央後側ベルトゾーン４４のピーク伸長力よりも低くてもよい。
【００９８】
それにより、中央前側ベルトゾーン６４及び中央後側ベルトゾーン４４は、着用者の低運動ゾーン内に持続的なフィット性を提供しながら、第１及び第２の周辺前側ベルトゾーン６３及び６５、並びに第１及び第２の周辺後側ベルトゾーン４３及び４５が、低運動ゾーンの外側のより低い応力を有する低運動ゾーンの外側に設けられて、着用者の快適性を高め、皮膚が赤くなることを低減することができるように構成することができる。
【００９９】
第１の複数の弾性ストランド６６の弾性ストランド、並びに第３の複数の弾性ストランド４６の弾性ストランドはそれぞれ、第１及び第２の前側ベルト層６１及び６２のうちの一方若しくは両方、又は第１及び第２の後側ベルト層４１及び４２のうちの一方若しくは両方に、それぞれの弾性ストランドの横断方向に対向する端部で又は当該端部に隣接して取り付けられる。
【０１００】
第１の複数の弾性ストランド６６の弾性ストランドは、第１及び第２の前側ベルト層６１及び６２に、それらの横断方向に対向する端部に又は当該端部に隣接する位置から離れた任意の他の位置に取り付けられてはならない。あるいは、弾性ストランドは、それらの対向する端部に又は当該端部に隣接する取り付け部の間にある第１及び／又は第２の前側ベルト層６１、６２に間隔をおいて取り付けられてもよい。
【０１０１】
同様に、第３の複数の弾性ストランド４６の弾性ストランドは、第１及び第２の後側ベルト層４１及び４２に、それらの横断方向に対向する端部に又は当該端部に隣接する位置から離れた任意の他の位置に取り付けてはならない。あるいは、弾性ストランドは、それらの対向する端部に又は当該端部に隣接する取り付け部の間にある第１及び／又は第２の後側ベルト層４１、４２に間隔をおいて取り付けられてもよい。
【０１０２】
第１及び第３の複数の弾性ストランド６６及び４６の弾性ストランドを、それらのそれぞれの対向する端部のみ又は当該端部に隣接して取り付けることにより、第１及び第２の前側ベルト層６１及び６２、又は第１及び第２の後側ベルト層４１及び４２へのそれぞれのそれらの取り付けに起因してそれらの動作を制限することなく、自由に拡張及び収縮する弾性ストランドをもたらす。これにより、実質的にそれらの全長に沿ってベルト層のうちの一方又は両方に取り付けられている同じ弾性ストランドと比較して、拡張するのに必要な力がより小さい弾性ストランドがもたらされる。したがって、このような取り付けにより、使用中の着用者の快適性の改善、適用の容易さ及びベルトの横断方向の拡張をもたらし、（例えば、着用者の動作、又は腹部の拡張に起因する）身体形状の変化に適応することができる。
【０１０３】
弾性ストランドが伸びるのに必要な力を調整及び制御するために、第１の複数の弾性ストランド６６の弾性ストランドを、それらの対向する端部又は当該端部に隣接して、それらの取り付け部の間の間隔で第１及び／又は第２の前側ベルト層６１、６２に加えて取り付けることができる。制限されずに弾性ストランドが伸長するためには、間隔は、比較的高い自由度を提供するのに十分な大きさであるべきである。したがって、第１の複数の弾性ストランドの弾性ストランドを、第１及び／又は第２の前側ベルト層に隣り合って取り付ける間隔は、弾性ストランドが弛緩し収縮状態にあるときに、弾性ストランドの全長の少なくとも２０％、又は少なくとも３０％、又は少なくとも４０％であり得る。
【０１０４】
同じ様式で、弾性ストランドが伸びるのに必要な力を調整及び制御するために、第３の複数の弾性ストランド４６の弾性ストランドを、それらの対向する端部又は当該端部に隣接して、それらの取り付け部の間の間隔で第１及び／又は第２の後側ベルト層４１、４２に加えて取り付けることができる。制限されずに弾性ストランドが拡張するためには、間隔は、比較的高い自由度を提供するのに十分な大きさであるべきである。したがって、第３の複数の弾性ストランドの弾性ストランドを、第１及び／又は第２の後側ベルト層に隣り合って取り付ける間隔は、弾性ストランドが弛緩し収縮状態にあるときに、弾性ストランドの全長の少なくとも２０％、又は少なくとも３０％、又は少なくとも４０％であり得る。
【０１０５】
第１の複数の弾性ストランド６６の弾性ストランドが互いに隣り合って設けられている場合、すなわち、第２の複数の弾性ストランド６８の弾性ストランドが間にない場合、第１及び第２の前側ベルト層６１及び６２は、第１の複数の弾性ストランド６６の弾性ストランドの隣り合う対の間で互いに接合されてもよい（図示せず）。
【０１０６】
第３の複数の弾性ストランド４６の弾性ストランドが互いに隣り合って設けられている場合、すなわち、第４の複数の弾性ストランド４８の弾性ストランドが間にない場合、第１及び第２の後側ベルト層４１及び４２は、第３の複数の弾性ストランド４６の弾性ストランドの隣り合う対の間で互いに接合されてもよい（図示せず）。
【０１０７】
第１及び／若しくは第２の前側ベルト層６１、６２、並びに／又は第１及び／若しくは第２の後側ベルト層４１、４２へのそれぞれの取り付けに起因して、弾性ストランドは、吸収性物品２０の長手方向寸法に対してそれらの位置に実質的に保持されることができる、すなわち、横断方向に延在するそれら全ての長さにわたって弾性ストランドを一方又は両方のベルト層に取り付ける必要なく、吸収性物品の長手方向寸法において限定された範囲にのみ移動することができる。隣接する対の弾性ストランド間の第１及び／若しくは第２の前側ベルト層への取り付け、並びに／又は第１及び／若しくは第２の後側ベルト層への取り付けはまた、ベルトを全体的に元のままに支持し、層の互いに対して望ましくない偏位をもたらし得る、第１及び第３の複数の弾性ストランドが設けられている区域で第１及び第２の層が互いから分離することを防止する。それにより、フィット性は快適であり、吸収性物品の使用中に維持され得る。
【０１０８】
第２の複数の弾性ストランド６８の弾性ストランドは、吸収性物品２０の横断方向における弾性ストランドの実質的な全長に沿って、第１及び第２の前側ベルト層６１及び６２のうちの一方又は両方に取り付けられる。用語「実質的な全長」は、全長に沿った取り付け部を含むが、第２の複数の弾性ストランド６８の弾性スタンドが第１及び第２の前側ベルト層６１及び６２に取り付けられていないままの、実質的でない間隙を伴う取り付け部も含む。そのような実質的でない間隙は、弾性ストランドが弛緩した収縮状態にあるとき、弾性ストランドの全体的な長さの５％未満、又は３％未満、又は２％未満の間隙である。
【０１０９】
第４の複数の弾性ストランド４８の弾性ストランドは、吸収性物品２０の横断方向における弾性ストランドの実質的な全長に沿って、第１及び第２の後側ベルト層４１及び４２のうちの一方又は両方に取り付けられる。用語「実質的な全長」は、全長に沿った取り付け部を含むが、第４の複数の弾性ストランド４８の弾性スタンドが第１及び第２の後側ベルト層４１及び４２に取り付けられていないままの、実質的でない間隙を伴う取り付け部も含む。そのような実質的でない間隙は、弾性ストランドが弛緩した収縮状態にあるとき、弾性ストランドの全体的な長さの５％未満、又は３％未満、又は２％未満の間隙である。
【０１１０】
そのような実質的でない隙間を可能にすることにより、弾性ストランドをそれぞれのベルト層のうちの一方又は両方に取り付けるときの、微小なプロセスのばらつきを可能にする。
【０１１１】
第１、第２、第３、及び第４の複数の弾性ストランドの各々の内の弾性ストランドは、吸収性物品の長手方向に隣り合うそれぞれの弾性ストランドから、２〜１５ｍｍ、又は２〜１０ｍｍ、又は３〜１０ｍｍ、又は４〜１０ｍｍの間隙９０によって、離間していてもよい（これらの値は、隣り合う弾性ストランド間の間隙９０に関連する）。長手方向の吸収性物品の方向における隣り合う弾性ストランド間の間隙９０は、第１、第２、第３、及び第４の複数の弾性ストランドの各々において同じであってもよい。あるいは、１つ以上の複数の弾性ストランドは、１つ以上の他の複数の弾性ストランドの弾性ストランドよりも、隣り合う弾性ストランド間でよりも大きな間隙を有する弾性体を有してもよい。
【０１１２】
前側ベルト及び／又は後方ベルトの弾性ストランドのうちの一部は、前側及び／又は後方ベルト６０、４０の他の弾性ストランドと比較して、より小さい間隙９０を有する弾性ストランドの組に配置されてもよく、それにより弾性ストランド９５の高密度アレイが形成される。高密度アレイ９５は、２〜４つの弾性ストランド、又は３〜４つの弾性ストランドを備えてもよい。そのような高密度アレイ９５は、好ましくは、第２の複数の弾性ストランド６８及び／又は第４の複数の弾性ストランド４８の弾性ストランドによって形成される。高密度アレイ９５の弾性ストランド間の間隙９０は、２〜４ｍｍであってもよい一方で、他の弾性ストランド間の間隙９０は、５ｍｍ〜１０ｍｍ、又は６ｍｍ〜１０ｍｍなど、４ｍｍ超であってもよいが、１２ｍｍ超であってはならない。
【０１１３】
理論によって束縛されるものではないが、弾性体をそのように互い近接させて配設することによって、高密度アレイ９５が、あたかもある特定の幅を有する１つの弾性ストランドであるかのような挙動を呈し、様々な利益を提供する。例えば、高密度アレイ９５は、アレイの弾性ストランドの組み合わせに相当する引張力を提供し、そのため、各弾性ストランドははるかに低い引張力で配設されてもよい。更に、高密度アレイ９５の弾性ストランド間の間隙９０の間に作り出されるギャザー１３０は細かいので、着用者に面する第１の前側ベルト層及び／又は後方ベルト層の区域を顕著に増加する。材料のそのような区域の増加と、高密度アレイを弾性ストランドと組み合わせることによって、単一の弾性ストランドの幅と比較して分散した幅にわたる引張力を着用者に加える。すなわち、高密度アレイは、あたかも１つの弾性体であるかのような挙動を呈する。そのため、高密度アレイは、経済的に供給される比較的低密度の弾性ストランドを使用することによって、良好なフィット性を着用者に提供することができる。単一の弾性ストランドのものと比較して、高密度区域での引張力が低減されることにより、着用者の皮膚が赤くなることも低減され、より快適で柔らかいフィット性を着用者に提供することができる。更に、高密度アレイは、使い捨てではない下着に配設される弾性体と同様に、ある特定の幅の弾性体の外観を提供することができる。したがって、高密度アレイを設けることによって、下着のような見た目、即ち高品質の印象を与えることができる。
【０１１４】
高密度アレイは、高密度アレイの弾性ストランドの組み合わせに相当する引張力を提供することができ、そのため、各弾性ストランドは比較的低い引張力で配設されてもよい。高密度アレイを形成するための弾性ストランドは、１１００ｄｔｅｘ以下、又は９４０ｄｔｅｘ以下の密度を有し得、１５０％〜３００％の伸びで配設され得る。
【０１１５】
高密度アレイ９５を、より高い引張力が望まれるゾーンに設けてもよい。少なくとも２つの高密度アレイ９５を設けることが、特に効果的な場合がある。少なくとも２つの高密度アレイ９５を、中央前側ベルトゾーン６４に設けてもよい。少なくとも２つの高密度アレイを、中央後側ベルトゾーン４４に設けてもよい。中央前側ベルトゾーンの引張力は、任意の他のゾーンの引張力よりも大きく提供されてもよい。
【０１１６】
第１の複数の弾性ストランド６６の隣り合う弾性ストランド（第２の複数の弾性ストランド６８の弾性ストランドが間にない状態で）では、第１の前側ベルト層６１は、望ましくは接着剤によって行われる、隣り合う弾性ストランドの対の間で第２の前側ベルト層６２に取り付けられてもよい。同様に、第３の複数の弾性ストランド４６の隣り合う弾性ストランドでは、第１の後側ベルト層４１は、望ましくは接着剤によって行われる、隣り合う弾性ストランドの対の間で第２の後側ベルト層４２に取り付けられてもよい。超音波結合と比較して、接着剤結合は、より良好に制御することができる。超音波結合は、超音波結合を直に取り囲む区域に照射する熱を過剰に発生する傾向がある。これは、弾性ストランドの弾性特性に悪影響を及ぼし得るか、あるいは、特に、１０ｍｍ未満、又は更には６ｍｍ未満の間隔など、隣接する弾性ストランド間の比較的狭い間隙では、弾性ストランドを損傷し得る。
【０１１７】
また、それぞれ第１及び第３の複数の弾性ストランド６６及び４６の弾性ストランドの隣り合う対の間で、第１の前側ベルト層６１を第２の前側ベルト層６２に結合すること、並びに第１の後側ベルト層４１を第２の後側ベルト層４２に結合することは、連続的であってもよい、すなわち断続的でなくてもよい。
【０１１８】
弾性ストランド２００が拡張し、引き伸ばされた状態にある間、第１及び第２の複数の弾性ストランド６６及び６８の弾性ストランドは、第１及び第２の前側ベルト層６１及び６２間に配設されてもよい。第１及び／又は第２の前側ベルト層６１、６２に接合された後、弾性ストランドは、収縮することが可能になり、したがって、第１及び第２の前側ベルト層６１及び６２に波形１３０を形成する。同様のことが後側ベルト４０にも適用される。弾性ストランド２００が拡張し、引き伸ばされた状態にある間、第３及び第４の複数の弾性ストランド４６及び４８の弾性ストランドは、第１及び第２の後側ベルト層４１及び４２間に配設されてもよい。第１及び／又は第２の後側ベルト層４１、４２に接合された後、弾性ストランドは、収縮することが可能になり、したがって、第１及び第２の後側ベルト層４１及び４２に波形１３０を形成する。
【０１１９】
第１及び第３の複数の弾性ストランド６６及び４６の隣り合う弾性ストランド間で、第１の前側ベルト層６１を第２の前側ベルト層６２に連続的に接着して取り付けること、及び第１の後側ベルト層４１を第２の後側ベルト層４２へ連続的に取り付けることによって、弾性ストランド２００の収縮によって得られる第１及び第２の前側ベルト層６１及び６２の、並びに第１及び第２の後側ベルト層４１及び４２の波形１３０は、より均質かつ均一である。これはベルトのより滑らかかつより均一な外観を促進し、ベルトの横断方向におけるより均一な伸び挙動を提供し、概してより衣類のような感覚を与える。
【０１２０】
前側ベルト６０は、第１及び第２の長手方向前側ベルト側縁部８６、８７を有し、後側ベルトは第１及び第２の後側長手方向ベルト側縁部５５、５６を有する。前側及び後側ベルト６０及び４０の長手方向ベルト側縁部８６、８７、５５、及び５６は、吸収性物品２０の長手方向中心線１００に実質的に平行であってもよい。
【０１２１】
前側ベルト６０はまた、第１及び第２の横断方向前側ベルト端縁部６７及び７０を有し、後側ベルト４０は、第１及び第２の後側ベルト端縁部４７及び５０を有する。前側ベルト６０の第１の横断方向前側ベルト端縁部６７は、吸収性物品２０の前側腰部縁部３１を形成してもよい。後側ベルト４０の第１の横断方向後側ベルト端縁部４７は、吸収性物品２０の後側腰部縁部３２を形成してもよい。
【０１２２】
前側ベルト６０の第１の横断方向前側ベルト端縁部６７は、実質的に直線状であってもよい。前側ベルト６０の第２の横断方向前側ベルト端縁部７０は、実質的に直線状であってもよいか、又は湾曲していてもよい。
【０１２３】
同様に、後側ベルト４０の第１の横断方向後側ベルト端縁部４７は、実質的に直線状であってもよい。後側ベルト４０の第２の横断方向後側ベルト端縁部５０は、実質的に直線状であってもよいか、又は湾曲していてもよい。
【０１２４】
例えば、吸収性物品２０の脚部開口部の形成に寄与する第２の横断方向前側ベルト端縁部７０のそれらの部分、及び第２の横断方向後側ベルト端縁部５０のそれらの部分は、前側ベルト６０が、第１及び第２の長手方向前側ベルト側縁部８６及び８７で、（吸収性物品の長手方向中心線１００に平行な）最小の長手方向寸法を有するように、かつ後側ベルト４０が、第１及び第２の長手方向後側ベルト側縁部５５、５６で、（吸収性物品の長手方向中心線１００に平行な）最小の長手方向寸法を有するように、弓状形状を有してもよい。吸収性コアと重なり合う、第２の横断方向前側ベルト端縁部７０及び第２の横断方向後側ベルト端縁部５０の部分は、直線状であってもよい。
【０１２５】
前側及び後側ベルト６０、４０の形状は、第１及び第２の前側ベルト層、又は第１及び第２の後側ベルト層が、それぞれ平坦である、すなわち、折り目又は波形を有さず、弾性ストランドが引き伸ばされた状態にあるように、それぞれのベルトが引き伸ばされたときに決定される。
【０１２６】
第１の長手方向前側ベルト側縁部８６は、第１の長手方向後側ベルト側縁部５５に取り付けられて、第１のサイドシーム５７を形成してもよい。第２の長手方向前側ベルト側縁部８７は、第２の長手方向後側ベルト側縁部５６に取り付けられて、第２のサイドシーム５８を形成してもよい。第１及び第２のサイドシーム５７及び５８は、恒久的であってもよい。
【０１２７】
第１、第２、第３、及び第４の複数の弾性ストランドの弾性ストランドは、同じであってもよいか、又は第１、第２、第３、及び第４の複数の弾性ストランドの弾性ストランドは互いとは異なってもよい。例えば、第１及び第３の複数の弾性ストランドの弾性ストランドは同じであってもよいが、第２及び第４の複数の弾性ストランドの弾性ストランドと異なってもよい。あるいは、第１及び第２の複数の弾性ストランドの弾性ストランドは同じであってもよいが、第３及び第４の複数の弾性ストランドの弾性ストランドと異なってもよい。
【０１２８】
同じ又は異なる弾性ストランドを設ける代わりに、又はそれに加えて、第１、第２、第３、及び第４の複数の弾性ストランドの弾性ストランドは、同じ方式で吸収性物品に適用されてもよいか、又は互いとは異なって適用されてもよい。例えば、第１及び第３の複数の弾性ストランドの弾性ストランドは、第２及び第４の複数の弾性ストランドの弾性ストランドとは異なる様式で適用されてもよい。あるいは、第１及び第２の複数の弾性ストランドの弾性ストランドは、第３及び第４の複数の弾性ストランドの弾性ストランドとは異なる様式（すなわち、横断方向に対向する端部に又は当該端部に隣接してそれぞれの層（複数可）に取り付けられている第１及び第３の複数の弾性ストランドの弾性体、並びにそれぞれのベルト層（複数可）に実質的な全長に沿って取り付けられている第２及び第４の複数の弾性ストランドの弾性体とは異なる別の、追加の様式）で適用されてもよい。
【０１２９】
例えば、第１及び第３の複数の弾性ストランドの弾性ストランドは、ａ）弾性ストランドのひずみ、ｂ）隣り合う弾性ストランド間の距離、ｃ）複数の弾性ストランドを形成する弾性ストランドの数、ｄ）弾性ストランドのデニール、又はｅ）ａ）〜ｄ）のうちの２つ以上の組み合わせ、のいずれかにおいて、第２及び第４の複数の弾性ストランドの弾性ストランドと異なってもよい。
【０１３０】
別の例では、第１及び第２の複数の弾性ストランドの弾性ストランドは、ａ）弾性ストランドのひずみ、ｂ）隣り合う弾性ストランド間の距離、ｃ）複数の弾性ストランドを形成する弾性ストランドの数、ｄ）弾性ストランドのデニール、又はｅ）ａ）〜ｄ）のうちの２つ以上の組み合わせ、のいずれかにおいて、第３及び第４の複数の弾性ストランドの弾性ストランドと異なってもよい。
【０１３１】
このようにして、中央ゾーン、並びに第１及び第２周辺ゾーンの特性を更に適合させることができる。例えば、第１及び第２の周辺前側ベルトゾーン６３及び６５は、中央前側ベルトゾーン６４と比較して少ないひずみを有してもよく、並びに／又は第１及び第２の周辺ベルトゾーン４３及び４５は、中央後側ベルトゾーン４４と比較して少ないひずみを有してもよい。それにより、中央前側及び後側ベルトゾーン６４及び４４は、着用者により緊密にフィットするように更に構成することができながら、第１及び第２の周辺前側及び後側ベルトゾーン６３、６５、４３、及び４５は、着用者の動作の増加した自由度を提供し、皮膚が赤くなることを低減することができる。
【０１３２】
前側ベルト６０は、中央前側ベルトゾーン６４、中央前側ベルトゾーン６４から前側腰部縁部３１に向かって長手方向遠位にある第１の周辺前側ベルトゾーン６３、及び中央前側ベルトゾーン６４から脚部開口部に向かって長手方向近位にある第２の周辺前側ベルトゾーン６５を有してもよい。中央前側ベルトゾーン６４は、第１の横断方向ピーク伸長力を有してもよく、第１の周辺前側ベルトゾーン６３は、第２の横断方向ピーク伸長力を有してもよく、第２の周辺前側ベルトゾーン６５は、第３の横断方向ピーク伸長力を有してもよい。第１の横断方向ピーク伸長力は、第２及び第３の横断方向ピーク伸長力のうちの一方又は両方よりも大きくてもよく、第１の横断方向ピーク伸長力は、第２及び第３の横断方向ピーク伸長力のうちの一方又は両方よりも、例えば、少なくとも２５％高い、又は少なくとも３０％高い、又は少なくとも４０％高い、又は少なくとも５０％であってもよい。
【０１３３】
後側ベルト４０は、中央後側ベルトゾーン４４、中央後側ベルトゾーン４４から後側腰部縁部３２に向かって長手方向遠位にある第１の周辺後側ベルトゾーン４３、及び中央後側ベルトゾーン４４から脚部開口部に向かって長手方向近位にある第２の周辺後側ベルトゾーン４５を有してもよい。中央後側ベルトゾーン４４は、第４の横断方向ピーク伸長力を有してもよく、第１の周辺後側ベルトゾーン４３は第５の横断方向ピーク伸長力を有してもよく、第２の周辺後側ベルトゾーン４５は、第６の横断方向ピーク伸長力を有してもよい。第４の横断方向ピーク伸長力は、第５及び第６の横断方向ピーク伸長力のうちの一方又は両方よりも大きくてもよく、第４の横断方向ピーク伸長力は、第５及び第６の横断方向ピーク伸長力のうちの一方又は両方よりも、例えば、少なくとも２５％高い、又は少なくとも３０％高い、又は少なくとも４０％高い、又は少なくとも５０％であってもよい。
【０１３４】
同時に、第１及び第２の周辺前側ベルトゾーン６３及び６５の横断方向の収縮レベルから、２５０％以下、又は２００％以下、又は１５０％以下で変動する中央前側ベルトゾーン６４の横断方向の収縮レベルを有することが望ましい場合がある。同様に、第１及び第２の周辺後側ベルトゾーン４３及び４５の横断方向の収縮レベルから、２５０％以下、又は２００％以下、又は１５０％以下で変動する中央後側ベルトゾーン４４の横断方向の収縮レベルを有することが望ましい場合がある。
【０１３５】
それぞれのゾーンにおける横断方向のピーク伸長力及び収縮レベルは、第１及び第２の複数の弾性ストランド並びに第３及び第４の複数の弾性ストランドを、適切に前側及び後側ベルト内に設けることによって適合させることができる。
【０１３６】
中央前側ベルトゾーン６４は、第１の複数の弾性ストランド６６の弾性ストランドよりも多くの第２の複数の弾性ストランド６８の弾性ストランドを有してもよく、中央後側ベルトゾーン４４は、第３の複数の弾性ストランド４６の弾性ストランドよりも多くの第４の複数の弾性ストランド４８の弾性ストランドを有してもよい。
【０１３７】
第１及び／又は第２の周辺前側ベルトゾーン６３、６５は、第２の複数の弾性ストランド６８の弾性ストランドよりも多くの第１の複数の弾性ストランド６６の弾性ストランドを有してもよく、第１及び／又は第２の周辺後側ベルトゾーン４３、４５は、第４の複数の弾性ストランド４８の弾性ストランドよりも多くの第３の複数の弾性ストランド４６の弾性ストランドを有してもよい。
【０１３８】
中央前側ベルトゾーン６４並びに第１及び第２の周辺前側ベルトゾーン６３及び６５は、第２の複数の弾性ストランド６８の弾性ストランドと交互になる第１の複数の弾性ストランド６６の弾性ストランドを備えてもよい。
【０１３９】
同様に、中央後側ベルトゾーン４４並びに第１及び第２の周辺後側ベルトゾーン４３及び４５は、第４の複数の弾性ストランド４８の弾性ストランドと交互になる第３の複数の弾性ストランド４６の弾性ストランドを備えてもよい。そのような構成では、第１及び第３の複数の弾性ストランド６６及び４６の弾性ストランドは、吸収性物品２０の長手方向寸法に対して、それらの位置に実質的に保持されることができる、すなわち、第１及び第２の前側ベルト層を、又は第１及び第２の後側ベルト層をそれぞれ、第１及び第３の複数の弾性ストランドの隣り合う弾性ストランド間で互いに取り付けることもなく、吸収性物品の長手方向寸法の限定された範囲でのみ、移動することができる。代わりに、第１及び第３の複数の弾性ストランド６６及び４６の弾性ストランドの動作は、第２及び第４の複数の弾性ストランド６８及び４８の隣り合う弾性ストランドによって吸収性物品２０の長手方向寸法に沿って限定される。
【０１４０】
例えば、吸収性物品をテーブル上に置くことによって、前側及び後側腰部縁部３１及び３２が一致するように重なり合う構成で、吸収性物品２０（例えばパンツ）の前側及び後側ベルト６０及び４０が重なり合った構成に置かれると、中央前側ベルトゾーン６４は、完全に、又はより好ましくは中央後側ベルトゾーン４４と部分的にのみ重なり合ってもよい。例えば、吸収性物品の横断方向中心線１１０からより遠位（すなわち、中央前側ベルトゾーンの残りの部分よりも遠位）の中央前側ベルトゾーン６４のそれらの部分は、吸収性物品の横断方向中心線１１０により近位（すなわち、中央後側ベルトゾーンの残りの部分よりも近位）の中央後側ベルトゾーン４４のそれらの部分と重なり合ってもよい。中央後側ベルトゾーン４４の１０％〜８０％、又は２０％〜６０％は、中央前側ベルトゾーン６４の５％〜５０％、又は１０％〜４０％と重なり合ってもよい。部分的にのみである中央前側ベルトゾーン６４と中央後側ベルトゾーン４４との重なり合いは、中央前側ベルトゾーン６４が、中央後側ベルトゾーン４４と比較して吸収性物品の横断方向中心線１１０に向かって更に延在する吸収性物品をもたらし得る。同時に、中央後側ベルトゾーン４４は、中央前側ベルトゾーン６４と比較して更に腰部開口部に向かって（すなわち後側腰部縁部３２に向かって）延在してもよい。
【０１４１】
上に説明されるように、及び図７Ｃに示されるように、着用者の解剖学的構造に起因して、一次張力線は、着用者の身体の水平に対して角度α（吸収性物品の横断方向に対する角度）で配設される。したがって、中央前側ベルトゾーン６４を中央後側ベルトゾーン４４と部分的にのみ重ね合わせることにより、より好適に着用者の解剖学的構造を考慮した固定システムを提供することができる。
【０１４２】
中央前側ベルトゾーン６４と第１及び第２の周辺前側ベルトゾーン６３及び６５間の境界は、直線状であっても、吸収性物品２０の横断方向中心線１１０に対して平行に延在していてもよい。同様に、中央後側ベルトゾーン４４と、第１及び第２の周辺後側ベルトゾーン４３及び４５間の境界は、直線状であっても、吸収性物品２０の横断方向中心線１１０に平行に延在してもよい（境界は、前側ベルト層が平らに広げられ、弾性ストランドが引き伸ばされるときに決定される）。
【０１４３】
中央前側ベルトゾーン６４の弾性ストランドのうちの一部は、吸収性物品の横断方向寸法を横切って断絶されて、不連続な弾性ストランドを形成してもよい。あるいは、中央前側ベルトゾーン６４の弾性ストランドの全ては、横断方向寸法を横切って断絶されて、不連続な弾性ストランドを形成してもよい。更に、第２の周辺前側ベルトゾーン６５の弾性ストランドのうちの一部又は全てはまた、吸収性物品の横断方向寸法を横切って断絶されて、不連続な弾性ストランドを形成してもよい。
【０１４４】
第１の周辺前側ベルトゾーン６３の弾性ストランドは、いずれも断絶されなくてもよい。あるいは、吸収性物品の横断方向寸法を横切って第１の周辺前側ベルトゾーン６３のうちのいくつかの弾性ストランドを断絶して、不連続な弾性ストランドを形成することが望ましい場合もある。しかしながら、前側腰部縁部３１に最も近位の第１の周辺前側ベルトゾーン６３の弾性ストランドは、断絶されずに腰部開口部周囲に連続的な弾性を提供してもよい。
【０１４５】
第１の周辺前側ベルトゾーン６３の弾性ストランドのうちの一部が断絶され、かつ／あるいは中央前側ベルトゾーン６４の弾性ストランドのうちの一部若しくは全て、及び／又は第２の周辺前側ベルトゾーン６５の弾性ストランドのうちの一部若しくは全てが断絶される場合、不連続な弾性ストランドの各々は、第１及び第２の前側ベルトセグメント８４及び８５のそれぞれの不連続な弾性ストランドの横断方向に対向する端部に又は当該端部に隣接して、第１及び第２の前側ベルト層６１及び６２（のみ）のうちの一方又は両方に取り付けられる。
【０１４６】
中央シャーシ２２の吸収性コアと重なり合う、第１及び第２の前側ベルトセグメント７９及び８０間の領域が、弾性ストランドを含まない場合があるように、断絶された前側ベルト６０の弾性ストランドは、第１の長手方向前側ベルト側縁部５５に向かう領域に配設された第１の前側ベルトセグメント８４と、第２の長手方向前側ベルト側縁部５６に向かう領域に配設された第２の前側ベルトセグメント８５と、を有する不連続な弾性ストランドを形成する。前側ベルト６０の弾性ストランドのうちの一部のみが断絶される場合、これらは、脚部開口部の長手方向近位に設けられている隣り合う弾性ストランドである一方で、前側腰部縁部３１に向かって長手方向遠位に設けられているそれらの隣り合う弾性ストランドは、断絶されないままである。このように、連続的な第１及び連続的な第２の前側ベルトセグメント８４及び８５は、弾性ストランドによって中断されているいくつかの第１及び第２の前側ベルトセグメントの代わりに形成され、前側ベルトの全横断方向にわたって連続的に延在する。
【０１４７】
同様に、後側ベルト４０では、中央後側ベルトゾーン４４の弾性ストランドのうちの一部が、吸収性物品の横断方向寸法を横切って断絶されて、不連続な弾性ストランドを形成してもよい。あるいは、中央後側ベルトゾーン４４の弾性ストランドの全ては、横断方向寸法を横切って断絶されて、不連続な弾性ストランドを形成してもよい。更に、第２の周辺後側ベルトゾーン４５の弾性ストランドのうちの一部又は全てはまた、吸収性物品の横断方向寸法を横切って断絶されて、不連続な弾性ストランドを形成してもよい。
【０１４８】
第１の周辺後側ベルトゾーン４３の弾性ストランドは、いずれも断絶されなくてもよい。あるいは、吸収性物品の横断方向寸法を横切って第１の周辺後側ベルトゾーン４３のうちのいくつかの弾性ストランドを断絶して、不連続な弾性ストランドを形成することが望ましい場合もある。しかしながら、後側腰部縁部３２に最も近位の第１の周辺後側ベルトゾーン４３の弾性ストランドは、断絶されずに腰部開口部周囲に連続的な弾性を提供してもよい。
【０１４９】
第１の周辺後側ベルトゾーンの弾性ストランドのうちの一部が断絶され、かつ／あるいは中央後側ベルトゾーンの弾性ストランドのうちの一部若しくは全て、及び／又は第２の周辺後側ベルトゾーンの弾性ストランドのうちの一部若しくは全てが断絶される場合、不連続な弾性ストランドの各々は、第１及び第２の後側ベルトセグメントのそれぞれの不連続な弾性ストランドの横断方向に対向する端部に又は当該端部に隣接して、第１及び第２の後側ベルト層（のみ）のうちの一方又は両方に取り付けられる。
【０１５０】
中央シャーシ２２の吸収性コアと重なり合う、第１及び第２の後側ベルトセグメント８６及び８７間の領域が、弾性ストランドを含まない場合があるように、断絶された後側ベルト４０の弾性ストランドは、第１の長手方向後側ベルト側縁部８６に向かう領域に配設された第１の後側ベルトセグメント７９と、第２の長手方向後側ベルト側縁部８７に向かう領域に配設された第２の後側ベルトセグメント８０と、を有する不連続な弾性ストランドを形成する。後側ベルト４０の弾性ストランドのうちの一部のみが断絶される場合、これらは、脚部開口部の長手方向近位に設けられている隣り合う弾性ストランドである一方で、後側腰部縁部３２に向かって長手方向遠位に設けられているそれらの隣り合う弾性ストランドは、断絶されないままである。このように、連続的な第１及び連続的な第２の後側ベルトセグメント７９及び８０は、弾性ストランドによって中断されるいくつかの第１及び第２の後側ベルトセグメントの代わりに形成され、後側ベルトの全横断方向にわたって連続的に延在する。
【０１５１】
前側ベルト６０内で実質的に全横断方向寸法にわたって延在する断絶されていない弾性ストランドの数は、断絶された前側ベルト６０の弾性ストランドの数よりも小さくてもよい。
【０１５２】
後側ベルト４０内で実質的に全横断方向寸法にわたって延在する断絶されていない弾性ストランドの数は、断絶された後側ベルト４０の弾性ストランドの数よりも大きくてもよい。
【０１５３】
図４を参照すると、第４の弾性体（４８）の少なくとも一部は、後側ベルト（６０）内のバックシートのフィルム内側層と重なり合ってもよい。吸収性コアは、第４の弾性体が重なり合うバックシートのフィルム内側層と重なり合ってもよい。したがって、バックシートのフィルム内側層と重なり合う第４の弾性体は、重なり合っている領域に剛性を提供することができ、それにより、特に負荷がかかった後のこの領域の吸収性コアの曲げ／束化を防止する。
【０１５４】
吸収性物品が永久サイドシームなどの第１及び第２のサイドシーム５７及び５８を備える場合、前側及び後側ベルトの弾性ストランドは、サイドシームに含まれても含まれなくてもよい。弾性ストランドがサイドシームに含まれない場合、弾性ストランドは、（物品の横断方向寸法にわたって）第１及び第２のサイドシームに直接隣接するそれらの対向する端部を有してもよい。前側及び後側ベルトは、股部領域で互いに不連続であってもよい。したがって、前側ベルト及び後側ベルトのいずれも、身体に面する表面の全体を覆わなくてもよく、前側ベルト及び後側ベルトのいずれも、吸収性物品の衣類に面する表面の全体を覆わなくてもよい。
【０１５５】
締着システム
吸収性物品２０はまた、締着システム１４０を含んでもよい。締着されると、締着システム５０は、前側腰部領域３６と後側腰部領域３８とを相互連結し、吸収性物品２０の着用中に着用者を取り囲む腰部開口部を提供する胴囲をもたらす。これは、前側腰部領域３６の中央シャーシ２２と相互連結する後方腰部領域３８の後側ベルト４０によって（吸収性物品が第２のベルトを備えない場合）、又は前側腰部領域３６の前側ベルト６０と相互接続する後側ベルト４０によって達成されてもよい。締着システムは、恒久的な第１及び第２のサイドシーム５７、５８を有さないおむつに設けられてもよい。あるいは、締着システムは、第１及び第２の恒久的サイドシーム５７、５８に加えてパンツに設けられて、腰部開口部の更なる調整を容易にし、かつ／あるいは例えばパンツの汚れの可能性を検査するときにサイドシームのうちの一方若しくは両方を破いて開けた場合、パンツを再締着することを可能にしてもよい。
【０１５６】
締着システム１４０は、フックとループとの締着構成要素などの締着具、タブとスロット、バックル、ボタン、スナップ、及び／又は雌雄同体締着構成要素などの相互係合締着具を含んでもよいが、任意の他の既知の締着手段も、概ね許容可能である。いくつかの例示的な表面締着システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的な相互係合締着システムは、米国特許第６，４３２，０９８号に開示されている。締着システム１４０はまた、米国特許第４，９６３，１４０号に開示の使い捨ての構成に物品を保持するための手段も提供してもよい。締着システム１４０はまた、米国特許第４，６９９，６２２号に開示の一次及び二次締着システムを含んでもよい。締着システム１４０は、米国特許第５，２４２，４３６号、同第５，４９９，９７８号、同第５，５０７，７３６号、及び同第５，５９１，１５２号に開示のように、重なり合った部分の偏位を低減するか、又はフィット性を改善するように構成されてもよい。締着タブは、第１及び第２の長手方向後側ベルト側縁部５５、５６に取り付けられてもよい。それらは、第１及び第２の長手方向後側ベルト側縁部５５、５６を越えて横断方向外側に延在するように構成されてもよい。締着タブ（例えば、フック、接着剤など）の係合材料は、第１及び第２の長手方向後側ベルト側縁部５５、５６を越えて横断方向外側に延在する締着タブの一部分上に設けられてもよい。締着タブは、吸収性物品の使用前に折り畳まれて、（例えば、吸収性物品の製造中、又は吸収性物品を着用者に適用する前にパッケージから取り出すとき）、吸収性物品の意図しない部分に係合しないように係合材料を保持してもよい。折り畳まれたとき、係合材料は、フィルム、ポリマー層、又は非粘着性接着層などの、第１及び第２の長手方向後側ベルト側縁部５５、５６に隣接する後側ベルトによって構成される非係合表面と接触してもよい。パッケージから取り出されると、締着具タブは広げられ、ループ材料のパッチ（多くの場合、中央シャーシの前側腰部領域又は前側ベルト上）などのランディングゾーンと係合してもよい。
【０１５７】
パッケージ
本開示の吸収性物品はパッケージに入れられてもよい。パッケージは、高分子フィルム及び／又は他の材料を備えることができる。吸収性物品の特性に関する図形及び／又は目印は、パッケージの外側部分に形成され、印刷され、位置付けられ、及び／又は配置されてもよい。それぞれのパッケージは、複数の吸収性物品を含んでもよい。吸収性物品は、１パッケージ当たり妥当な量の吸収性物品を依然として提供しながら、パッケージのサイズを低減するように圧縮下で包装されてもよい。吸収性物品を圧縮下で包装することによって、介護者は、パッケージを容易に扱い、保管することができると共に、パッケージのサイズによる流通コストの削減を製造業者にもたらすことができる。
【０１５８】
したがって、本明細書に記載されているバッグ内スタック高さテストによると、本開示の吸収性物品のパッケージは、約１００ｍｍ未満、約９５ｍｍ未満、約９０ｍｍ未満、約８５ｍｍ未満、約８５ｍｍ未満ただし約７５ｍｍ超、約８０ｍｍ未満、約７８ｍｍ未満、約７６ｍｍ未満、又は約７４ｍｍ未満であり、具体的には、特定の範囲内及びその中又はそれによって形成された全ての範囲内において全て０．１ｍｍの増分である、バッグ内スタック高さを有し得る。あるいは、本明細書に記載されているバッグ内スタック高さテストによると、本開示の吸収性物品のパッケージは、約７０ｍｍ〜約１１０ｍｍ、約７０ｍｍ〜約９５ｍｍ、約７２ｍｍ〜約８５ｍｍ、約７２ｍｍ〜約８０ｍｍ、又は約７４ｍｍ〜約７８ｍｍであり、具体的には、特定の範囲内及びその中又はそれによって形成された全ての範囲内において全て０．１ｍｍ刻みの値を含む、バッグ内スタック高さを有し得る。
【０１５９】
図８は、複数の吸収性物品１００４を含む例示的なパッケージ１０００を示す。パッケージ１０００は、複数の吸収性物品１００４が置かれる内部空間１００２を画定している。複数の吸収性物品１００４は、１つ以上の積み重ね１００６として配置されている。
【０１６０】
試験法
横断方向ピーク伸長力
試験装置／環境
ＭＴＳ  Ｔｅｓｔｗｏｒｋｓ  ｖｅｒｓｉｏｎ４．０のＭＴＳ  Ａｌｌｉａｎｃｅ又は同等の計器などの、好適な引張試験器が使用される。試験器は、試料の少なくとも全幅を保持することが可能なフラットクランプを備えるものを使用するべきである。計器は、製造者の仕様書に従って較正する。試験は、２３℃±２℃、及び相対湿度５０％±２％で実施する。
【０１６１】
試料の調製
吸収性物品が第１及び第２のベルト間に恒久的なサイドシームを有するパンツである場合、物品のサイドシームを破いてベルトを分離する。（本発明を実施するための形態に記載の）ゾーンを、測定されるそれぞれのベルト（それぞれのベルトゾーンと重なり合う場合、中央シャーシ構成要素を含む）から切り取る。それぞれのベルトの分離された各ゾーンは、本明細書では「試験試料」と呼ばれる。存在する場合、中央シャーシ構成要素を含む全ての材料層は、試験試料で保持するべきである。全てのカット線は、直線で、吸収性物品の横断方向に平行である。各試験試料は、少なくとも１つのエラストマー材を有する必要がある。それぞれの領域の幅（吸収性物品の長手方向の寸法）を測定する。
【０１６２】
試験試料の長さを決定する。試験試料の長さを決定する。長さは、吸収性物品の横断方向に対応する方向に対応し、完全に引き伸ばされた状態の試験試料の一方の端部から他方の端部までの距離を測定する。完全に引き伸ばされた状態は、試験試料が、０．１Ｎ／ｍｍに試験試料の幅を掛けた力によって引き伸ばされた状態である。試験試料の一方又は両方の末端部が長手方向に平行でない場合、試験試料内の最短の長さを試験試料の長さとみなす。
【０１６３】
調整された試験試料の長さは、試験試料の長さから上側及び下側クランプの任意の材料の長さの組み合わせを引いたものとして定義する。したがって、各末端部において１０ｍｍをクランプで保持できるように試験試料をクランプに固定する場合、調整したベルトの長さは、測定したベルトの長さから２０ｍｍを引いたものである。
【０１６４】
試験試料は、試験前に少なくとも１０分間引き伸ばさない状態を保つ。
【０１６５】
試験
各試験試料に対し、引張試験機の初期標点距離を設定して、試験試料を緩和状態で固定することができる。ロードセルはゼロになって試料重量をオフセットする。
【０１６６】
試験試料は、２５４ｍｍ／分の速度で吸収性物品の横断方向に対応する方向に引き伸ばされ、負荷（Ｎ）は、試験試料が調整された試験試料の長さの６５％に達した後５秒以内に測定する。力ゾーンの各々の横断方向ピーク伸長力は、次の等式に従って計算する。
試験試料の横断方向ピーク伸長力（Ｎ／ｍｍ）＝測定値（Ｎ）／力ゾーンの幅（ｍｍ）
【０１６７】
収縮レベル
ａ）物品全体力測定法
ＴｅｓｔＷｏｒｋｓ  ４  Ｓｏｆｔｗａｒｅ（ＭＴＳ  ＳＹＳＴＥＭＳ（ＣＨＩＮＡ）ＣＯ．，ＬＴＤから入手可能）を実行するＭＴＳ  Ｃｒｉｔｅｒｉｏｎ  Ｃ４２などのコンピュータインターフェースを備えた電子引張試験機、又は同等の機器を使用して、力を測定する。試験される試料に対する力が、使用するロードセルの能力の１０〜９０％になるように、ロードセルを選択する。製造業者の指示書に従って計器を較正する。全ての試験は、２３℃±２℃、及び５０％±２％の相対湿度に維持した室内で実施する。
【０１６８】
引張試験機に、図９に示されるような、ハンガー型の試料保持固定具３００を装着する。各固定具は、試験中に試料が滑るのを防ぐために、剛性で直線状の、ゴムでコーティングされた水平バー部分３０２を備える。水平バー部分のバーの外径（ゴムコーティングを含む）は１０．０ｍｍである。水平バー部分３０２の中央軸線は、全テスト過程を通して平行で同一鉛直面内に保たれるように構成されている。基準周長は、次式によって決定される。
基準周長＝２ｘ（Ｈ＋Ｄ＋πＤ／２）
式中、Ｈは水平バー部分３０２間の垂直方向ギャップ、Ｄはバーの外径である。
【０１６９】
機器は、以下の工程をこなすように設定される。
【０１７０】
【表１】
2020519358.tif 000003
【０１７１】
バーが物品の腰部開口部及び一方の脚部開口部を通るように、試料物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を引き伸ばさずに下側のバー３０２を腰部開口部及び他方の脚部開口部に挿通させることができるように、クロスヘッドを下降させる。物品の長手方向中心線１００が上側及び下側のバー３０２の真ん中で水平面内にあるように物品を調整する。バー３０２と接触している側部部分の中心が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、１９．６Ｎの力が得られるまでクロスヘッドを２５４ｍｍ／分で上に移動させ、次いで同じ速度でクロスヘッドをすぐに初期基準周長に戻す。１９．６Ｎでの最大周長、及び試験の伸長セグメント中に７０％引き伸ばし時周長になる力を記録する。
【０１７２】
周長（ｍｍ）＝２ｘ（Ｈ＋Ｄ＋πＤ／２）
【０１７３】
１９．６Ｎでの最大周長が全引き伸ばし時周長（ｍｍ）として定義される。７０％引き伸ばし時時周長は、全引き伸ばし時周長×０．７として定義される。腰部周囲力は、試験の負荷（延長）セグメント中に７０％引き伸ばし時周長になったときの力として定義される。
【０１７４】
５つの試料を分析し、それらの平均初期基準周長、平均全引き伸ばし時周長、及び平均腰部周囲力を計算し、それぞれ、１ｍｍ、１ｍｍ、０．０１Ｎ単位で報告する。
【０１７５】
ｂ）ゾーン横断方向寸法の測定
試料に物品全体力測定試験に施した後、試料を調製し、以下のように処理する。
【０１７６】
試験装置／環境
ＭＴＳ  Ｔｅｓｔｗｏｒｋｓ  ｖｅｒｓｉｏｎ４．０のＭＴＳ  Ａｌｌｉａｎｃｅ又は同等の計器などの、好適な引張試験器が使用される。試験器は、試料の少なくとも全幅を保持することが可能なフラットクランプを備える。計器は、製造者の仕様書に従って較正する。試験は、２３℃±２℃、及び相対湿度５０％±２％で実施する。
【０１７７】
試料の調製
吸収性物品が第１及び第２のベルト間に恒久的なサイドシームを有するパンツである場合、物品のサイドシームを破いてベルトを分離する。（本発明の実施するための形態に記載の）それぞれのゾーンを、測定されるそれぞれのベルト（それぞれのベルトゾーンと重なり合う場合、中央シャーシ構成要素を含む）から切り取る。存在する場合、中央シャーシ構成要素を含む全ての材料層は、試験試料（すなわち切り取ったゾーン）で保持するべきである。全てのカット線は、直線で、吸収性物品の横断方向に平行である。各試験試料は、少なくとも１つのエラストマー材を有する必要がある。それぞれの領域の幅（吸収性物品の長手方向の寸法）を測定する。
【０１７８】
試験試料の長さを決定する。長さは、吸収性物品の横断方向に、完全に引き伸ばされた状態の試験試料の一方の末端部から他方の末端部までの距離を測定する。完全に引き伸ばされた状態は、試験試料が、０．１Ｎ／ｍｍに試験試料の幅を掛けた力によって引き伸ばされた状態である。試験試料の一方又は両方の末端部が長手方向に平行でない場合、試験試料内の最短の長さを試験試料の長さとみなす。
【０１７９】
調整された試験試料の長さは、試験試料の長さ引く上側及び下側の任意の材料の長さの組み合わせとして定義する。したがって、各末端部において１０ｍｍをクランプで保持できるように試験試料をクランプに固定する場合、調整したベルトの長さは、測定したベルトの長さから２０ｍｍを引いたものである。
【０１８０】
各試験試料に対し、引張試験機の初期標点距離を設定して、試験試料を緩和状態で固定することができる。ロードセルはゼロになって試料重量をオフセットする。
【０１８１】
試験試料は、吸収性物品の横断方向に対応する方向で試験試料に適用される０．５Ｎの力を適用することによって、吸収性物品の横断方向に引き伸ばされる。試験試料の長さ（吸収性物品内のそれぞれのゾーンの横断寸法に対応する）は、引張試験機のクランプ間に含まれる２０ｍｍを考慮して測定される。
【０１８２】
次いで、収縮レベルを、以下のように計算する。
（それぞれのゾーンの試験試料の長さ＠０．５Ｎ×１００）／（１９．６Ｎ＊）での最大周長の１／２）
＊）物品全体力測定から得られた最大周長
【０１８３】
バッグ内積み重ね高さ試験
吸収性物品のパッケージのバッグ内積み重ね高さは、以下のとおりに決定する。
【０１８４】
機器
平坦な剛性の水平スライディングプレートを備えた厚さテスタが使用される。厚さテスタは、水平スライディングプレートが平坦な剛性の水平ベースプレートのすぐ上で水平の向きに常に維持された状態で、水平スライディングプレートが垂直方向に自由に移動するように構成される。厚さテスタは、水平スライディングプレートと水平ベースプレートとの間の間隙を±０．５ｍｍ以内で測定するのに好適なデバイスを含む。水平スライディングプレート及び水平ベースプレートは、各プレートと接触する吸収性物品パッケージの表面よりも大きい（即ち、全ての方向で各プレートは吸収性物品パッケージの接触表面を越えて延在する）。水平スライディングプレートは、吸収性物品パッケージに下方への力８５０±１重量グラム（８．３４Ｎ）を加えるが、これは、スライディングプレートの合計質量に付加重量を足して８５０±１グラムとなるように、水平スライディングプレートのパッケージに接触しない上面の中央に好適な重しを置くことによって達成し得る。
【０１８５】
試験手順
吸収性物品パッケージを、測定前に、２３±２℃及び５０±５％の相対湿度で平衡化する。
【０１８６】
水平スライディングプレートを上げ、パッケージ内の吸収性物品が水平に配向されるような方式で、吸収性物品パッケージを水平スライディングプレート下で中心に置く（図８参照）。プレートのいずれかに接触するであろうパッケージの表面上にある任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同一パッケージ（同じサイズのパッケージ及び同じ吸収性物品数）を測定し、算術平均をパッケージ幅として報告する。「バッグ内積み重ね高さ」＝（パッケージ幅／積み重ね当たりの吸収性物品数）×１０を計算し、±０．５ｍｍ以内で報告する。
【０１８７】
「発明を実施するための形態」の中で引用される文献は全て、関連部分において参照により本明細書に組み込まれる。いかなる文献の引用も、それが本発明に対する先行技術であることを認めるものとして解釈されるべきではない。この文書における用語のいずれかの定義又は意味が、参考として組み込まれた文献における用語のいずれかの定義又は意味と相反する範囲においては、本文書におけるその用語に与えられた定義又は意味が適用されるものとする。
【０１８８】
本発明の特定の実施形態を例示及び説明してきたが、本発明の趣旨及び範囲から逸脱することなく他の様々な変更及び修正を行うことができる点は当業者には明白であろう。実施形態及び特徴の組み合わせが可能であり、またこれにより、本発明の範囲内で実行できることは明らかである。したがって、本発明の範囲内に含まれるそのような全ての変更及び修正は、添付の特許請求の範囲にて網羅することを意図したものである。
【０１８９】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【０１９０】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１９１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020519358.tif 000004
【図２】
2020519358.tif 000005
【図３】
2020519358.tif 000006
【図４】
2020519358.tif 000007
【図５】
2020519358.tif 000008
【図６】
2020519358.tif 000009
【図７Ａ】
2020519358.tif 000010
【図７Ｂ】
2020519358.tif 000011
【図７Ｃ】
2020519358.tif 000012
【図８】
2020519358.tif 000013
【図９】
2020519358.tif 000014
【国際調査報告】
2020519358.tif 000015
2020519358.tif 000016
2020519358.tif 000017